(57)【要約】      （修正有）【課題】静電的な耐久性が優れ、且つ長期間使用しても感光体傷が発生するのを防止することができ、もって画像欠陥の生じない高画質で長寿命な画像形成装置の提供。【解決手段】感光体と、帯電手段と、像露光手段と、現像手段と、転写手段と、クリーニング手段とを備え、感光体が、導電性基体と、導電性基体上に形成され、電荷発生物質及び電荷輸送物質を含有する感光層とを有し、電荷輸送物質が、アミン基を有する特定構造のナフタレンテトラカルボン酸ジイミド誘導体を含有し、クリーニング手段が、先端がループ状に形成され、感光体に接触しながら回転するブラシを有し、ブラシのループ先端側が根元部よりブラシ回転方向上流側に向けられている。【選択図】なし【特許請求の範囲】
【請求項１】
感光体と、前記感光体の表面を一様に帯電する帯電手段と、前記一様に帯電された感光体の表面に像露光を行い静電潜像を形成する像露光手段と、前記静電潜像を現像する現像手段と、現像像を転写する転写手段と、前記感光体の転写残トナーをクリーニングするクリーニング手段とを備える画像形成装置において、前記感光体が、導電性基体と、前記導電性基体上に形成され、電荷発生物質及び電荷輸送物質を含有する感光層とを有し、前記電荷輸送物質が、下記一般式（１）で表されるナフタレンテトラカルボン酸ジイミド誘導体を含有し、前記クリーニング手段が、先端がループ状に形成され、前記感光体に接触しながら回転するブラシを有し、前記ブラシのループ先端側が根元部よりブラシ回転方向上流側に向けられていることを特徴とする画像形成装置。
【化１】
2010048876.tif 000069
・・・一般式（１）
［一般式(１)中、Ｒ１、Ｒ２、Ｒ３、Ｒ４は、それぞれ、置換もしくは無置換のアルキル基、置換もしくは無置換の芳香族炭化水素基、及び、置換もしくは無置換の芳香族複素環基のいずれかを表し、Ｒ１、Ｒ２、Ｒ３、Ｒ４はそれぞれ同一でも異なっていてもよい。Ｒ５、Ｒ６、Ｒ７、Ｒ８は、それぞれ、水素原子、ハロゲン原子、置換もしくは無置換のアルキル基、及び、置換もしくは無置換の芳香族炭化水素基のいずれかを表し、Ｒ５、Ｒ６、Ｒ７、Ｒ８はそれぞれ同一でも異なっていてもよい。また、Ｒ１とＲ２は互いに結合し、窒素原子を含む置換もしくは無置換の複素環基を形成してもよい。また、Ｒ３とＲ４は互いに結合し、窒素原子を含む置換もしくは無置換の複素環基を形成してもよい。］
【請求項２】
ブラシの回転方向が、感光体の回転方向に対して接触面で同方向である請求項１に記載の画像形成装置。
【請求項３】
ブラシの感光体回転方向下流側に配置され、感光体に接する弾性体ゴムブレードをさらに備える請求項１から２のいずれかに記載の画像形成装置。
【請求項４】
弾性体ゴムブレードの感光体への当接方向が、感光体の回転方向に対しカウンター方向である請求項３に記載の画像形成装置。
【請求項５】
感光層は、一般式（１）で表される電荷輸送物質以外の電荷輸送物質をさらに含む請求項１から４のいずれかに記載の画像形成装置。
【請求項６】
一般式（１）で表される電荷輸送物質以外の電荷輸送物質が、下記一般式（２）で表される誘導体である請求項５に記載の画像形成装置。
【化２】
2010048876.tif 000070
・・・一般式（２）
［一般式(２)中、Ｘは、単結合及びビニレン基のいずれかを表し、Ｒ９は、水素原子、置換もしくは無置換のアルキル基、及び置換もしくは無置換の芳香族炭化水素基のいずれかを表し、Ａｒ１は置換もしくは無置換の芳香族炭化水素基を表し、Ｒ１０は水素原子、置換もしくは無置換のアルキル基、及び置換もしくは無置換の芳香族炭化水素基のいずれかを表し、Ａｒ１とＲ１０は共同で環を形成してもよい。Ａは、下記一般式（３）、下記一般式（４）、９−アントリル基、及び置換もしくは無置換のカルバゾリル基のいずれかを表す。
【化３】
2010048876.tif 000071
・・・一般式（３）
【化４】
2010048876.tif 000072
・・・一般式（４）
（一般式（３）及び（４）中、Ｒ１１は、水素原子、アルキル基、アルコキシ基、ハロゲン原子、及び一般式（５）のいずれかを表す。ｍは１〜３の整数を表し、ｍが２以上のとき、Ｒ１１は同一でも異なってもよい。
【化５】
2010048876.tif 000073
・・・一般式（５）
一般式（５）中、Ｒ１２及びＲ１３は、それぞれ、置換もしくは無置換のアルキル基、及び、置換もしくは無置換の芳香族炭化水素基のいずれかを示し、Ｒ１２及びＲ１３は、同じでも異なっていてもよく、環を形成してもよい。）］
【請求項７】
一般式（１）で表される電荷輸送物質以外の電荷輸送物質が、下記一般式（６）で表される誘導体である請求項５に記載の画像形成装置。
【化６】
2010048876.tif 000074
・・・一般式（６）
［一般式（６）中、Ｒ１４、Ｒ１６及びＲ１７は、それぞれ、水素原子、アミノ基、アルコキシ基、チオアルコキシ基、アリールオキシ基、メチレンジオキシ基、置換もしくは無置換のアルキル基、ハロゲン原子、及び置換もしくは無置換の芳香族炭化水素基のいずれかを表し、Ｒ１５は、水素原子、アルコキシ基、置換もしくは無置換のアルキル基、及びハロゲン原子のいずれかを表す。また、ｋ、ｌ、ｍ２、及びｎは、それぞれ、１、２、３及び４のいずれかの整数であり、それぞれが、２、３及び４のいずれかの整数のときは、前記Ｒ１４、Ｒ１５、Ｒ１６及びＲ１７は、それぞれ、同じでも異なっていてもよい。］
【請求項８】
前記一般式（１）で表される電荷輸送物質以外の電荷輸送物質が、下記一般式（７）で表される誘導体である請求項５に記載の画像形成装置。
【化７】
2010048876.tif 000075
・・・一般式（７）
［一般式（７）中、Ｘ２は、単結合及びビニレン基のいずれかを表し、Ｒ１８は、水素原子、置換もしくは無置換のアルキル基、及び、置換もしくは無置換の芳香族炭化水素基のいずれかを表し、Ａｒ２は置換もしくは無置換の芳香族炭化水素基を表し、Ｒ１９は、水素原子、置換もしくは無置換のアルキル基、及び、置換もしくは無置換の芳香族炭化水素基のいずれかを表し、Ａｒ２とＲ１９は共同で環を形成してもよい。Ａｒ３は下記一般式（８）及び下記一般式（９）のいずれかを表す。また、Ｒ２０は、置換もしくは無置換のアルキル基、及び置換もしくは無置換の芳香族炭化水素基のいずれかを表す。
【化８】
2010048876.tif 000076
・・・一般式（８）
【化９】
2010048876.tif 000077
・・・一般式（９）
一般式（８）及び（９）中で、Ｒ２１は、水素原子、アルキル基、アルコキシ基、及びハロゲン原子のいずれかを表し、ｍは１〜３の整数を表し、ｍが２以上のとき、Ｒ２１は同一でも異なってもよい。］
【請求項９】
前記一般式（１）で表される電荷輸送物質以外の電荷輸送物質が、下記一般式（１０）で表される誘導体である請求項５に記載の画像形成装置。
【化１０】
2010048876.tif 000078
・・・一般式（１０）
［一般式（１０）中、Ｘ３は単結合及びビニレン基のいずれかを表し、Ｒ２２は、水素原子、置換もしくは無置換のアルキル基、及び置換もしくは無置換の芳香族炭化水素基のいずれかを表し、Ａｒ４は置換もしくは無置換の２価の芳香族炭化水素基を表し、Ｒ２３は、水素原子、置換もしくは無置換のアルキル基、及び置換もしくは無置換の芳香族炭化水素基のいずれかを表し、Ａ２は、下記一般式（１１）、下記一般式（１２）、９−アントリル基、及び、置換もしくは無置換のカルバゾリル基のいずれかを表す。
【化１１】
2010048876.tif 000079
・・・一般式（１１）
【化１２】
2010048876.tif 000080
・・・一般式（１２）
一般式（１１）及び（１２）中、Ｒ２４は、水素原子、アルキル基、アルコキシ基、ハロゲン原子、及び下記一般式（１３）のいずれかを表す。ｍは１〜３の整数を表し、ｍが２以上のとき、Ｒ２４は同一でも異なってもよい。
【化１３】
2010048876.tif 000081
・・・一般式（１３）
一般式（１３）中、Ｒ２５及びＲ２６は、それぞれ、置換もしくは無置換のアルキル基、及び、置換もしくは無置換の芳香族炭化水素基のいずれかを示し、Ｒ２５及びＲ２６は、同じでも異なっていてもよく、環を形成してもよい。］
【請求項１０】
感光層は、少なくとも電荷発生層、電荷輸送層を順次積層したものである請求項１から９のいずれかに記載の画像形成装置。
【請求項１１】
感光層は、単層型の感光層である請求項１から９のいずれかに記載の画像形成装置。
【請求項１２】
感光体と、帯電手段、現像手段、及びクリ−ニング手段から選択される少なくとも１種の手段を一体に支持した着脱自在なプロセスカートリッジを備える請求項１から１１のいずれかに記載の画像形成装置。
【請求項１３】
感光体上に現像されたトナー画像を中間転写体上に一次転写した後、該中間転写体上のトナー画像を記録材上に二次転写する中間転写手段を有する画像形成装置であって、複数色のトナー画像を前記中間転写体上に順次重ね合わせてカラー画像を形成し、該カラー画像を前記記録材上に一括で二次転写する請求項１から１２のいずれかに記載の画像形成装置。
【発明の詳細な説明】
【技術分野】
【０００１】
本発明は、電子写真方式で画像を形成する画像形成装置に関し、特に、複写機、ファクシミリ、レーザープリンター、ダイレクトデジタル製版機などの画像形成装置に関する。
【背景技術】
【０００２】
一般に「電子写真プロセス」とは、光導電性の感光体を、まず、暗所で、例えばコロナ放電によって帯電させ、次いで像露光し、露光部のみの電荷を選択的に散逸せしめて静電潜像を得、この潜像部を染料、顔料などの着色剤と高分子物質などの結合剤とから構成される検電微粒子（トナー）で現像し可視化して画像を形成するようにした画像形成法の一つである。
近年では、電子写真複写機、電子写真プリンターなどの電子写真プロセスを用いた画像形成装置においては高画質化が要求されるとともに高耐久化が要求されている。
このような電子写真プロセスを用いた画像形成装置の寿命は感光体によって決まる場合が多い。
感光体は長期間にわたり繰り返し上述のような帯電、露光のサイクルを行うため徐々に帯電性が低下したり、露光部の電位が上昇したりして静電潜像を形成するのに十分な静電コントラストが得られなくなってしまう。
これを解決するには、感光層を形成する主材料である電荷輸送物質を改良する必要がある。これは初期的には特性が良くても、繰り返し行なう電子写真プロセスにおいての静電的な疲労が加わると、これまでの公知の電荷輸送物質を用いたものでは十分な特性が得られていなかった。
【０００３】
また、感光体の耐久性を決定するもう一つの要因として感光体の経時での摩耗があげられる。それは電子写真プロセスにおいて感光体は、帯電、露光、現像、転写、クリーニングの反復過程で機械的、化学的作用を繰り返し受けることにより少しずつ劣化、摩耗していくためである。
摩耗が進行していくと帯電能の低下を招き、異常画像の要因となる。したがって、電子写真プロセスを用いた画像形成装置において高耐久化をはかるには、耐摩耗性に優れ、繰り返し使用時においても静電的な特性が変化しない感光体を用いることが非常に重要となってくる。
感光体の耐摩耗性を向上させるため保護層を設けたりするなどの技術が、特許文献１〜５などに提案されている。
しかし、これらは耐摩耗性の向上にはなるものの、長期にわたる連続繰り返し使用で明部電位上昇となり、画像濃度低下などの画像劣化が発生した。また、このような保護層は、機械的強度が高く耐摩耗性が向上するものの何らかの原因により感光体表面に異物が付着した場合、傷が発生しやすく、一旦このような傷が生ずると表面が硬い場合なかなか消えず、この傷に起因する画像欠陥を生じるため電子写真プロセスでの使いこなしが難しい面がある。
【０００４】
また、近年高画質化のために小粒径トナーを用いる場合が増えている。
これはこのような小粒径トナーを用いると、画質が飛躍的に向上するためである。しかしながら、このような長所がある一方で、小粒径トナーは粒径が小さい分、感光体上のクリーニングが難しく、また感光体上にクリーニングされなかったトナーが固着しやすいという弊害が生じやすい。
また、画像形成装置の高耐久化に伴い、用いる紙から発生する紙粉などの蓄積やトナー添加剤などの凝集物、その他の異物によって感光体への異物付着が発生する場合が見られた。
このような現象が生じると、出力される画像に異常をきたし、いわゆる画像欠陥発生につながる。このような画像欠陥が発生してしまうと、たとえ、感光体が高耐久であろうと画像に欠陥が生じた段階でその画像形成装置の寿命と判断されてしまう。
そこで、このようなことを防ぐために、感光体の転写残トナーや紙粉などの異物の除去に重きを置き、感光体のクリーニング条件を強くする手法が考えられる。しかしながら、むやみにクリーニング条件を強くすると感光体に異常摩耗が発生したり、前述のような傷が生じたり、感光体表面粗さが大きくなることにより、かえって早期にクリーニング不良が発生したりするなど画像欠陥を生ずる原因となってしまう場合が多い。
例えば、ブラシ形状のクリーニング手段を用いる場合でも、従来から用いられているカットパイル状ブラシで転写残トナーの除去能力を上げようとすると、より腰の強い、原糸太さの太いブラシを採用しなければならない。ところが、太い原糸を用いてカットパイル状ブラシとすると破断面のエッジが感光体と点接触し、その表面に傷をつけてしまい異常摩耗を生じ、ひいては画像欠陥を生じてしまう。
【０００５】
むやみに強いクリーニング条件にすると繰返しの摺擦によって感光層の表面上に発生する傷が増大してしまい、この傷に起因する様々な画像欠陥、例えばクリーニング部において傷部をすり抜けてしまう転写残トナーによるスジ状欠陥や、この傷部分にトナー粒子が入り込み固着してしまい微少な斑点状欠陥などが生じてしまうという問題があった。
このような画像欠陥は近年、高画質化を目的として採用が増えている小粒径トナー、特に重合トナーのような球形トナーを用いる場合に多く発生する傾向があり、異常画像発生の無い高画質な画像とそれを長期にわたって維持する高耐久性とを両立することは非常に困難であった。
このように高画質で且つ高耐久な画像形成装置を得るためには、画像形成の要である感光体の主材料、特に電荷輸送物質を改良して繰り返し使用時における静電的耐久性を向上させ高耐久化をはかると同時にその耐久性を十分に生かすため、感光体表面に傷を発生させないクリーニング手段が不可欠である。しかしながら、これまでこのような要件を満たすことができなかったため、高画質で高耐久な画像形成装置は得られていなかった。
【０００６】
【特許文献１】特開平１−２０５１７１号公報
【特許文献２】特開平７−３３３８８１号公報
【特許文献３】特開平８−１５８８７号公報
【特許文献４】特開平８−１２３０５３号公報
【特許文献５】特開平８−１４６６４１号公報
【発明の開示】
【発明が解決しようとする課題】
【０００７】
本発明は、前記従来における諸問題を解決し、以下の目的を達成することを課題とする。即ち、本発明は、静電的な耐久性が優れ、且つ長期間使用しても感光体傷が発生するのを防止することができ、もって画像欠陥の生じない高画質で長寿命な画像形成装置を提供することを目的とする。
【課題を解決するための手段】
【０００８】
前記課題を解決するため本発明者らが鋭意検討を重ねた結果、感光体と、前記感光体の表面を一様に帯電する帯電手段と、前記一様に帯電された感光体の表面に像露光を行い静電潜像を形成する像露光手段と、前記静電潜像を現像する現像手段と、現像像を転写する転写手段と、前記感光体の転写残トナーをクリーニングするクリーニング手段とを備え、前記感光体が、導電性基体と、前記導電性基体上に形成され、電荷発生物質及び電荷輸送物質を含有する感光層とを有し、前記電荷輸送物質が、下記一般式（１）で表されるナフタレンテトラカルボン酸ジイミド誘導体を含有し、前記クリーニング手段が、先端がループ状に形成され、前記感光体に接触しながら回転するブラシを有し、前記ブラシのループ先端側が根元部よりブラシ回転方向上流側に向けられている構成にすることにより、効果的に上記目的を達成することができ、高速且つ高耐久の画像形成装置を実現することができることを知見した。
【化１４】
2010048876.tif 000002
・・・一般式（１）
【０００９】
一般に、電子写真感光体は、繰返し使用により帯電性の低下や感度の低下、もしくは露光部電位の上昇などを生じる。これらは、基本的に感光層中に用いる電荷輸送物質に起因する場合が多く、これを改善することで初期の感度特性が良好なだけでなくその維持性も高く、結果として感度低下や露光部電位の上昇などの副作用を抑制することが可能となる。
しかしながら、用いる材料が不適な場合、十分な静電的コントラストが得られにくい。従って、露光後の光減衰後の電位が十分に落ちきる、所謂、裾引きの良い電子写真感光体であることが必要である。また、用いる材料が不適であると、光応答性は良好なものの、十分な静電的コントラストが得られず、画像形成上不都合な場合が生じる。
そこで、多くの化合物を検討した結果、上記一般式（１）で表されるナフタレンテトラカルボン酸ジイミド誘導体を電荷輸送物質として用いた場合、上記すべての特性に適合することが判明し、さらに、クリーニング手段が、先端がループ状に形成され、前記感光体に接触しながら回転するブラシを有し、前記ブラシのループ先端側が根元部よりブラシ回転方向上流側に向けられている構成を組み合わせることにより、適度な感光層表面の研磨作用と転写残トナーの良好なクリーニングが可能になることが判明した。このことから長期間の繰り返し使用時においても静電的なコントラスト電位の持続と、クリーニング不良による転写残トナーに起因するスジ状の異常画像、及び表面に付着した放電生成物の蓄積により生じる画像流れ(画像ボケ)などの異常画像の発生が抑制されることを見出し本発明に至った。
【００１０】
本発明は、本発明者らによる前記知見に基づくものであり、前記課題を解決するための手段としては以下の通りである。即ち、
＜１＞  感光体と、前記感光体の表面を一様に帯電する帯電手段と、前記一様に帯電された感光体の表面に像露光を行い静電潜像を形成する像露光手段と、前記静電潜像を現像する現像手段と、現像像を転写する転写手段と、前記感光体の転写残トナーをクリーニングするクリーニング手段とを備える画像形成装置において、前記感光体が、導電性基体と、前記導電性基体上に形成され、電荷発生物質及び電荷輸送物質を含有する感光層とを有し、前記電荷輸送物質が、下記一般式（１）で表されるナフタレンテトラカルボン酸ジイミド誘導体を含有し、前記クリーニング手段が、先端がループ状に形成され、前記感光体に接触しながら回転するブラシを有し、前記ブラシのループ先端側が根元部よりブラシ回転方向上流側に向けられていることを特徴とする画像形成装置である。
【化１５】
2010048876.tif 000003
・・・一般式（１）
［一般式(１)中、Ｒ１、Ｒ２、Ｒ３、Ｒ４は、それぞれ、置換もしくは無置換のアルキル基、置換もしくは無置換の芳香族炭化水素基、及び、置換もしくは無置換の芳香族複素環基のいずれかを表し、Ｒ１、Ｒ２、Ｒ３、Ｒ４はそれぞれ同一でも異なっていてもよい。Ｒ５、Ｒ６、Ｒ７、Ｒ８は、それぞれ、水素原子、ハロゲン原子、置換もしくは無置換のアルキル基、及び、置換もしくは無置換の芳香族炭化水素基のいずれかを表し、Ｒ５、Ｒ６、Ｒ７、Ｒ８はそれぞれ同一でも異なっていてもよい。また、Ｒ１とＲ２は互いに結合し、窒素原子を含む置換もしくは無置換の複素環基を形成してもよい。また、Ｒ３とＲ４は互いに結合し、窒素原子を含む置換もしくは無置換の複素環基を形成してもよい。］
＜２＞  ブラシの回転方向が、感光体の回転方向に対して接触面で同方向である前記＜１＞に記載の画像形成装置である。
＜３＞  ブラシの感光体回転方向下流側に配置され、感光体に接する弾性体ゴムブレードをさらに備える前記＜１＞から＜２＞のいずれかに記載の画像形成装置である。
＜４＞  弾性体ゴムブレードの感光体への当接方向が、感光体の回転方向に対しカウンター方向である前記＜３＞に記載の画像形成装置である。
＜５＞  感光層は、一般式（１）で表される電荷輸送物質以外の電荷輸送物質をさらに含む前記＜１＞から＜４＞のいずれかに記載の画像形成装置である。
＜６＞  一般式（１）で表される電荷輸送物質以外の電荷輸送物質が、下記一般式（２）で表される誘導体である前記＜５＞に記載の画像形成装置である。
【化１６】
2010048876.tif 000004
・・・一般式（２）
［一般式(２)中、Ｘは、単結合及びビニレン基のいずれかを表し、Ｒ９は、水素原子、置換もしくは無置換のアルキル基、及び置換もしくは無置換の芳香族炭化水素基のいずれかを表し、Ａｒ１は置換もしくは無置換の芳香族炭化水素基を表し、Ｒ１０は水素原子、置換もしくは無置換のアルキル基、及び置換もしくは無置換の芳香族炭化水素基のいずれかを表し、Ａｒ１とＲ１０は共同で環を形成してもよい。Ａは、下記一般式（３）、下記一般式（４）、９−アントリル基、及び置換もしくは無置換のカルバゾリル基のいずれかを表す。
【化１７】
2010048876.tif 000005
・・・一般式（３）
【化１８】
2010048876.tif 000006
・・・一般式（４）
（一般式（３）及び（４）中、Ｒ１１は、水素原子、アルキル基、アルコキシ基、ハロゲン原子、及び一般式（５）のいずれかを表す。ｍは１〜３の整数を表し、ｍが２以上のとき、Ｒ１１は同一でも異なってもよい。
【化１９】
2010048876.tif 000007
・・・一般式（５）
一般式（５）中、Ｒ１２及びＲ１３は、それぞれ、置換もしくは無置換のアルキル基、及び、置換もしくは無置換の芳香族炭化水素基のいずれかを示し、Ｒ１２及びＲ１３は、同じでも異なっていてもよく、環を形成してもよい。）］
＜７＞  一般式（１）で表される電荷輸送物質以外の電荷輸送物質が、下記一般式（６）で表される誘導体である前記＜５＞に記載の画像形成装置である。
【化２０】
2010048876.tif 000008
・・・一般式（６）
［一般式（６）中、Ｒ１４、Ｒ１６及びＲ１７は、それぞれ、水素原子、アミノ基、アルコキシ基、チオアルコキシ基、アリールオキシ基、メチレンジオキシ基、置換もしくは無置換のアルキル基、ハロゲン原子、及び置換もしくは無置換の芳香族炭化水素基のいずれかを表し、Ｒ１５は、水素原子、アルコキシ基、置換もしくは無置換のアルキル基、及びハロゲン原子のいずれかを表す。また、ｋ、ｌ、ｍ２、及びｎは、それぞれ、１、２、３及び４のいずれかの整数であり、それぞれが、２、３及び４のいずれかの整数のときは、前記Ｒ１４、Ｒ１５、Ｒ１６及びＲ１７は、それぞれ、同じでも異なっていてもよい。］
＜８＞  前記一般式（１）で表される電荷輸送物質以外の電荷輸送物質が、下記一般式（７）で表される誘導体である前記＜５＞に記載の画像形成装置である。
【化２１】
2010048876.tif 000009
・・・一般式（７）
［一般式（７）中、Ｘ２は、単結合及びビニレン基のいずれかを表し、Ｒ１８は、水素原子、置換もしくは無置換のアルキル基、及び、置換もしくは無置換の芳香族炭化水素基のいずれかを表し、Ａｒ２は置換もしくは無置換の芳香族炭化水素基を表し、Ｒ１９は、水素原子、置換もしくは無置換のアルキル基、及び、置換もしくは無置換の芳香族炭化水素基のいずれかを表し、Ａｒ２とＲ１９は共同で環を形成してもよい。Ａｒ３は下記一般式（８）及び下記一般式（９）のいずれかを表す。また、Ｒ２０は、置換もしくは無置換のアルキル基、及び置換もしくは無置換の芳香族炭化水素基のいずれかを表す。
【化２２】
2010048876.tif 000010
・・・一般式（８）
【化２３】
2010048876.tif 000011
・・・一般式（９）
一般式（８）及び（９）中で、Ｒ２１は、水素原子、アルキル基、アルコキシ基、及びハロゲン原子のいずれかを表し、ｍは１〜３の整数を表し、ｍが２以上のとき、Ｒ２１は同一でも異なってもよい。］
＜９＞  前記一般式（１）で表される電荷輸送物質以外の電荷輸送物質が、下記一般式（１０）で表される誘導体である前記＜５＞に記載の画像形成装置である。
【化２４】
2010048876.tif 000012
・・・一般式（１０）
［一般式（１０）中、Ｘ３は単結合及びビニレン基のいずれかを表し、Ｒ２２は、水素原子、置換もしくは無置換のアルキル基、及び置換もしくは無置換の芳香族炭化水素基のいずれかを表し、Ａｒ４は置換もしくは無置換の２価の芳香族炭化水素基を表し、Ｒ２３は、水素原子、置換もしくは無置換のアルキル基、及び置換もしくは無置換の芳香族炭化水素基のいずれかを表し、Ａ２は、下記一般式（１１）、下記一般式（１２）、９−アントリル基、及び、置換もしくは無置換のカルバゾリル基のいずれかを表す。
【化２５】
2010048876.tif 000013
・・・一般式（１１）
【化２６】
2010048876.tif 000014
・・・一般式（１２）
一般式（１１）及び（１２）中、Ｒ２４は、水素原子、アルキル基、アルコキシ基、ハロゲン原子、及び下記一般式（１３）のいずれかを表す。ｍは１〜３の整数を表し、ｍが２以上のとき、Ｒ２４は同一でも異なってもよい。
【化２７】
2010048876.tif 000015
・・・一般式（１３）
一般式（１３）中、Ｒ２５及びＲ２６は、それぞれ、置換もしくは無置換のアルキル基、及び、置換もしくは無置換の芳香族炭化水素基のいずれかを示し、Ｒ２５及びＲ２６は、同じでも異なっていてもよく、環を形成してもよい。］
＜１０＞  感光層は、少なくとも電荷発生層、電荷輸送層を順次積層したものである前記＜１＞から＜９＞のいずれかに記載の画像形成装置である。
＜１１＞  感光層は、単層型の感光層である前記＜１＞から＜９＞のいずれかに記載の画像形成装置である。
＜１２＞  感光体と、帯電手段、現像手段、及びクリ−ニング手段から選択される少なくとも１種の手段を一体に支持した着脱自在なプロセスカートリッジを備える前記＜１＞から＜１１＞のいずれかに記載の画像形成装置である。
＜１３＞  感光体上に現像されたトナー画像を中間転写体上に一次転写した後、該中間転写体上のトナー画像を記録材上に二次転写する中間転写手段を有する画像形成装置であって、複数色のトナー画像を前記中間転写体上に順次重ね合わせてカラー画像を形成し、該カラー画像を前記記録材上に一括で二次転写する前記＜１＞から＜１２＞のいずれかに記載の画像形成装置である。
【発明の効果】
【００１１】
本発明によると、静電的な耐久性が優れ、且つ長期間使用しても感光体傷が発生するのを防止することができ、もって画像欠陥の生じない高画質で長寿命な画像形成装置を提供することができる。
詳しくは、感光体が感光層に一般式（１）で表されるナフタレンテトラカルボン酸ジイミド誘導体を含有することにより、感度低下を招くことなく、繰り返し使用におけるクリーニング性の持続力、および酸化性ガスなどに対する環境耐性が大幅に向上し、且つ、クリーニング手段が、先端がループ状に形成され、前記感光体に接触しながら回転するブラシを有し、前記ブラシのループ先端側が根元部よりブラシ回転方向上流側に向けられていることにより、長期にわたって異常画像の発生の無い良好な画質が得られる。
本発明におけるナフタレンテトラカルボン酸ジイミド誘導体が繰り返し使用による画像品質維持に有効である理由は、現時点では明らかになっていないが、化学構造内に含まれるアミノ基は塩基性の強い基であるので、画像ボケ（解像度低下）の原因物質と考えられている酸化性ガスに対しての電気的な中和効果が推測される。また、本発明におけるナフタレンテトラカルボン酸ジイミド誘導体は、他の電荷輸送物質と併用することにより高感度、並びに繰り返し安定性等がさらに増すものであり、前述のクリーニング手段と組み合わせることで感光体表面上の転写残トナーを効率的、且つ長期間にわたって適正にクリーニングするので、その結果高画質な出力画像を持続することが可能となる。
また、本発明におけるナフタレンテトラカルボン酸ジイミド誘導体は、電子輸送性物質であるため、それを用いた感光体は層構成の種類および正孔輸送物質との混合により両極性帯電に対応可能な単層型感光体を得ることもできる。
したがって、本発明によれば、高耐久性と高画質化の両立を可能とし、繰り返し使用に対しても高画質画像が安定して得られ、両極性帯電に対応可能である。
【発明を実施するための最良の形態】
【００１２】
（画像形成装置）
本発明の画像形成装置は、少なくとも、感光体と、帯電手段と、像露光手段と、現像手段と、転写手段と、クリーニング手段とを備えてなり、更に必要に応じてその他の手段を備えてなる。
【００１３】
図１は、本発明の画像形成装置の一例を説明するための模式図であり、後述するような変形例も本発明の範疇に属するものである。
【００１４】
図１において、画像形成装置は、感光体１と、除電ランプ２と、帯電チャージャ３と、イレーサ４と、画像露光部５と、現像ユニット６と、転写前チャージャ７と、レジストローラ８と、転写チャージャー１０と、分離チャージャ１１と、分離爪１２と、クリーニング前チャージャ１３と、クリーニングブラシ１４と、クリーニングブレード１６とを備える。
【００１５】
感光体１はドラム状の形状を示しているが、シート状、エンドレスベルト状のものであってもよい。
【００１６】
帯電チャージャー３、転写前チャージャー７、転写チャージャー１０、分離チャージャー１１、クリーニング前チャージャー１３には、コロトロン、スコロトロン、固体帯電器（ソリッド・ステート・チャージャー）、帯電ローラーを始めとする公知の帯電手段が用いられる。転写手段には、一般に上記の帯電器が使用できるが、図に示されるように、転写チャージャー１０と分離チャージャー１１を併用したものが効果的である。
【００１７】
また、画像露光部５の光源としては、半導体レーザーなど種々の光源を用いることができる。
【００１８】
感光体１に、転写工程、除電工程、クリーニング工程、あるいは前露光などの工程において光照射を併用して設けることも可能であり、種々の光が照射されるが特に制限されるものではない。
【００１９】
さて、現像ユニット６はトナーとキャリアよりなる現像剤を有する二成分現像ユニットである。用いられるトナー及びキャリアは、特に制限されるものではないが高画質化を目的とした場合、いずれも小粒径タイプのものが用いられる。一般に、小粒径トナーとは平均粒径３μｍ〜９μｍ程度のトナーを指し、小粒径キャリアとは３０〜６０μｍ程度のキャリアを指す。現像ユニット６により感光体１上に現像されたトナーは、転写紙９に転写されるが、必ずしも全部が転写されるわけではなく、感光体１上に残存するトナーが生ずる。
【００２０】
このような転写残トナーを除去するためにクリーニング手段としてクリーニングブラシ１４及び感光体１に接するクリーニングブレード１５が用いられるが、場合によってはクリーニング前チャージャー１３による除電行程が入ってもよい。上述のような画像形成装置を一体化した脱着可能なカートリッジ形状にすることも可能であり、これらの画像形成装置を複数並列に設置し、各画像形成装置に各色トナーを対応させることによりフルカラーの画像形成装置とすることも可能である。
【００２１】
画像形成装置では、電子写真感光体に正(負)帯電を施し、画像露光を行なうと、感光体表面上には正(負)の静電潜像が形成される。これを負(正)極性のトナー（検電微粒子）で現像すれば、ポジ画像が得られるし、また正(負)極性のトナーで現像すれば、ネガ画像が得られる。現像手段には、公知の方法が適用されるし、また、除電手段にも公知の方法が用いられる。
【００２２】
＜感光体＞
前記感光体としては、導電性基体と、前記導電性基体上に形成された感光層とを有するものであれば、特に制限はなく、目的に応じて適宜選択することができ、例えば、ドラム状、シート状、エンドレスベルト状のものなどが挙げられる。
【００２３】
前記感光体としての電子写真感光体の層構成を図２〜７に示す。
【００２４】
図２は、本発明における電子写真感光体の断面図の一例である（その１）。
図２において、導電性支持体３１上に、電荷発生物質と電荷輸送物質を主成分とする感光層３３が設けられている。
【００２５】
図３は、本発明における電子写真感光体の断面図の一例である（その２）。
図３において、導電性支持体３１上に、電荷発生物質を主成分とする電荷発生層３５と、電荷輸送物質を主成分とする電荷輸送層３７とが、積層された構成をとっている。
【００２６】
図４は、本発明における電子写真感光体の断面図の一例である（その３）。
図４において、導電性支持体３１上に、電荷発生物質と電荷輸送物質を主成分とする感光層３３が設けられ、更に感光層表面に保護層３９が設けられてなる。この場合、保護層３９に本発明におけるナフタレンテトラカルボン酸ジイミド誘導体が含有されても構わない。
【００２７】
図５は、本発明における電子写真感光体の断面図の一例である（その４）。
図５において、導電性支持体３１上に、電荷発生物質を主成分とする電荷発生層３５と電荷輸送物質を主成分とする電荷輸送層３７とが積層された構成をとっており、更に電荷輸送層上に保護層３９が設けられてなる。この場合、保護層３９に本発明におけるナフタレンテトラカルボン酸ジイミド誘導体が含有されても構わない。
【００２８】
図６は、本発明における電子写真感光体の断面図の一例である（その５）。
図６において、導電性支持体３１上に、電荷輸送物質を主成分とする電荷輸送層３７と電荷発生物質を主成分とする電荷発生層３５とが積層された構成をとっている。
【００２９】
図７は、本発明における電子写真感光体の断面図の一例である（その６）。
図７において、導電性支持体３１上に、電荷輸送物質を主成分とする電荷輸送層３７と電荷発生物質を主成分とする電荷発生層３５とが積層された構成をとっており、更に電荷発生層上に保護層３９が設けられてなる。この場合、保護層３９に本発明におけるナフタレンテトラカルボン酸ジイミド誘導体が含有されても構わない。
【００３０】
＜＜導電性基体＞＞
前記導電性支持体としては、特に制限はなく、目的に応じて適宜選択することができ、例えば、体積抵抗１０１０Ω・ｃｍ以下の導電性を示すもの（例えば、アルミニウム、ニッケル、クロム、ニクロム、銅、金、銀、白金などの金属、酸化スズ、酸化インジウムなどの金属酸化物）を、蒸着またはスパッタリングにより、フィルム状もしくは円筒状のプラスチック、紙に被覆したもの、あるいは、アルミニウム、アルミニウム合金、ニッケル、ステンレスなどの板およびそれらを、押し出し、引き抜きなどの工法で素管化後、切削、超仕上げ、研摩などの表面処理した管、特開昭５２−３６０１６号公報に開示されたエンドレスニッケルベルト及びエンドレスステンレスベルトなどが挙げられる。
【００３１】
さらに、前記導電性支持体として、前記支持体上に導電性粉体を適当な結着樹脂に分散して塗工して、導電性層を設けたものについても、用いることができる。
【００３２】
前記導電性粉体としては、カーボンブラック、アセチレンブラック、アルミニウム、ニッケル、鉄、ニクロム、銅、亜鉛、銀などの金属粉、あるいは導電性酸化スズ、ＩＴＯなどの金属酸化物粉体などが挙げられる。また、前記結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂などの熱可塑性樹脂、熱硬化性樹脂、光硬化性樹脂などが挙げられる。
【００３３】
前記導電性層は、これらの導電性粉体と結着樹脂とを適当な溶剤（例えば、テトラヒドロフラン、ジクロロメタン、メチルエチルケトン、トルエン）などに分散して塗布することにより設けることができる。
【００３４】
さらに、前記導電性支持体として、適当な円筒基体上にポリ塩化ビニル、ポリプロピレン、ポリエステル、ポリスチレン、ポリ塩化ビニリデン、ポリエチレン、塩化ゴム、テフロン（登録商標）などの素材に前記導電性粉体を含有させた熱収縮チューブによって導電性層を設けてなるものも、良好に用いることができる。
【００３５】
＜＜感光層＞＞
前記感光層としては、電荷発生物質及び電荷輸送物質を含有するものであれば、特に制限はなく、目的に応じて適宜選択することができる。本発明においては、前記電荷輸送物質が、ナフタレンテトラカルボン酸ジイミド誘導体を含有するが、後述する他の電荷輸送物質を含んでいてもよい。
【００３６】
＜＜＜ナフタレンテトラカルボン酸ジイミド誘導体＞＞＞
前記ナフタレンテトラカルボン酸ジイミド誘導体は、下記一般式（１）で表される。
【００３７】
【化２８】
2010048876.tif 000016
・・・一般式（１）
［一般式(１)中、Ｒ１、Ｒ２、Ｒ３、Ｒ４は、それぞれ、置換もしくは無置換のアルキル基、置換もしくは無置換の芳香族炭化水素基、及び、置換もしくは無置換の芳香族複素環基のいずれかを表し、Ｒ１、Ｒ２、Ｒ３、Ｒ４はそれぞれ同一でも異なっていてもよい。Ｒ５、Ｒ６、Ｒ７、Ｒ８は、それぞれ、水素原子、ハロゲン原子、置換もしくは無置換のアルキル基、及び、置換もしくは無置換の芳香族炭化水素基のいずれかを表し、Ｒ５、Ｒ６、Ｒ７、Ｒ８はそれぞれ同一でも異なっていてもよい。また、Ｒ１とＲ２は互いに結合し、窒素原子を含む置換もしくは無置換の複素環基を形成してもよい。また、Ｒ３とＲ４は互いに結合し、窒素原子を含む置換もしくは無置換の複素環基を形成してもよい。］
【００３８】
前記一般式（１）で表されるナフタレンテトラカルボン酸ジイミド誘導体の製造方法としては、ナフタレン−１，４，５，８−テトラカルボン酸二無水物誘導体と、１，１−二置換ヒドラジン誘導体とを、無溶媒又は溶媒存在下で反応させることによって製造される。
【００３９】
前記溶媒としては、特に制限はなく、目的に応じて適宜選択することができるが、ベンゼン、トルエン、キシレン、クロロナフタレン、酢酸、ピリジン、メチルピリジン、Ｎ，Ｎ−ジメチルホルムアミド、Ｎ，Ｎ−ジメチルアセトアミド、ジメチルエチレンウレア、ジメチルスルホキサイドなどが挙げられる。反応温度は、室温〜２５０℃の間が好ましい。
【００４０】
また、反応促進のために、ｐＨ調整して行うこともできる。ｐＨ調整には、水酸化リチウム、水酸化カリウム、水酸化ナトリウムなどの塩基性水溶液をリン酸等の酸との混合により作製した緩衝液を用いる。
【００４１】
具体的には、例えば、第一工程で；ナフタレン−１，４，５，８−テトラカルボン酸二無水物誘導体と１，１−二置換ヒドラジン誘導体とを反応させてモノイミド体を製造し、第二工程で；このモノイミド体と最初に反応させたものと置換基の異なるヒドラジン誘導体とを反応させることにより、一般式（１）で表されるナフタレンテトラカルボン酸ジイミド誘導体におけるＲ１、Ｒ２とＲ３、Ｒ４が異なる誘導体を製造することができる。
【００４２】
【化２９】
2010048876.tif 000017
【００４３】
【化３０】
2010048876.tif 000018
【００４４】
また、ナフタレンテトラカルボン酸二無水物１モル当量とヒドラジン誘導体２モル当量以上を反応させて一般式（１）で表されるナフタレンテトラカルボン酸ジイミド誘導体におけるＲ１、Ｒ２とＲ３、Ｒ４が同じ誘導体を製造することができる。
【００４５】
【化３１】
2010048876.tif 000019
【００４６】
一般式（１）で表されるナフタレンテトラカルボン酸ジイミド誘導体の説明において、アルキル基としては、特に制限はなく、目的に応じて適宜選択することができるが、例えば、メチル基、エチル基、プロピル基、ブチル基、ヘキシル基、及びウンデカニル基などが挙げられる。また、芳香族炭化水素基としては、特に制限はなく、目的に応じて適宜選択することができるが、ベンゼン、ビフェニル、ナフタレン、アントラセン、フルオレン及びピレンなどの芳香族環の基、並びにピリジン、キノリン、チオフェン、フラン、オキサゾール、オキサジアゾール、カルバゾールなど芳香族複素環の基が挙げられる。また、これらの置換基としては、特に制限はなく、目的に応じて適宜選択することができるが、前記アルキル基の具体例で挙げたもの、メトキシ基、エトキシ基、プロポキシ基、ブトキシ基などのアルコキシ基；フッ素原子、塩素原子、臭素原子、ヨウ素原子などのハロゲン原子；ジアルキルアミノ基、ジフェニルアミノ基などのアミノ基；前記芳香族炭化水素基；及びピロリジン、ピペリジン、ピペラジンなどの複素環の基などが挙げられる。更に、Ｒ１及びＲ２（又は、Ｒ３及びＲ４）が互いに結合し、窒素原子を含む複素環基を形成する場合、その複素環基としては、ピロリジノ基、ピペリジノ基、ピペラジノ基などに芳香族炭化水素基が縮合した縮合複素環基を挙げることができる。
【００４７】
以下に、一般式（１）で表されるナフタレンテトラカルボン酸ジイミド誘導体の好ましい例を挙げる。但し、本発明は、これらの化合物に限定されるものではない。なお、例示化合物のＮｏ．１とＮｏ．１８とがＤＥ１２３００３１に電荷移動錯体形成のアクセプターとして、例示化合物のＮｏ．２６が国際公開第０２／０４０４７９号パンフレット（ＷＯ２００２０４０４７９）に抗ヘリコバクター作用を有する化合物（医薬品）として開示されているが、電子写真感光体に用いることは開示されてない。
なお、表中の数字は、ナフタレンテトラカルボン酸ジイミド誘導体の例示化合物Ｎｏ．を示す。
【００４８】
【表１】
2010048876.tif 000020
【００４９】
【表２】
2010048876.tif 000021
【００５０】
【表３】
2010048876.tif 000022
【００５１】
【表４】
2010048876.tif 000023
【００５２】
【表５】
2010048876.tif 000024
【００５３】
前記感光層は、単層でも積層でもよいが、説明の都合上、先ず、電荷発生層３５と電荷輸送層３７とで構成される感光層から説明する。
【００５４】
＜＜＜電荷発生層＞＞＞
電荷発生層３５は、電荷発生物質を主成分とする層である。電荷発生層３５における電荷発生物質として、公知の電荷発生物質を用いることが可能であり、例えば、シーアイピグメントブルー２５（カラーインデックスＣＩ  ２１１８０）；シーアイピグメントレッド４１（ＣＩ  ２１２００）；シーアイアシッドレッド５２（ＣＩ  ４５１００）；シーアイベーシックレッド３（ＣＩ  ４５２１０）；カルバゾール骨格を有するアゾ顔料（特開昭５３−９５０３３号公報に記載）、ジスチリルベンゼン骨格を有するアゾ顔料（特開昭５３−１３３４４５号公報）、トリフェニルアミン骨格を有するアゾ顔料（特開昭５３−１３２３４７号公報に記載）、ジベンゾチオフェン骨格を有するアゾ顔料（特開昭５４−２１７２８号公報に記載）、オキサジアゾール骨格を有するアゾ顔料（特開昭５４−１２７４２号公報に記載）、フルオレノン骨格を有するアゾ顔料（特開昭５４−２２８３４号公報に記載）、ビススチルベン骨格を有するアゾ顔料（特開昭５４−１７７３３号公報に記載）、ジスチリルオキサジアゾール骨格を有するアゾ顔料（特開昭５４−２１２９号公報に記載）、ジスチリルカルバゾール骨格を有するアゾ顔料（特開昭５４−１４９６７号公報に記載）、ベンズアントロン骨格を有するアゾ顔料などのアゾ顔料；シーアイピグメントブルー１６（ＣＩ  ７４１００）、Ｙ型オキソチタニウムフタロシアニン（特開昭６４−１７０６６号公報）、Ａ(β)型オキソチタニウムフタロシアニン、Ｂ(α)型オキソチタニウムフタロシアニン、Ｉ型オキソチタニウムフタロシアニン（特開平１１−２１４６６号公報に記載）、ＩＩ型クロロガリウムフタロシアニン（飯島他，日本化学会第６７春季年会，１Ｂ４，０４（１９９４））、Ｖ型ヒドロキシガリウムフタロシアニン（大門他，日本化学会第６７春季年会，１Ｂ４，０５（１９９４））、Ｘ型無金属フタロシアニン（米国特許第３，８１６，１１８号）などのフタロシアニン系顔料；シーアイバットブラウン５（ＣＩ  ７３４１０）、シーアイバットダイ（ＣＩ  ７３０３０）などのインジコ系顔料；アルゴスカーレットＢ（バイエル社製）、インタンスレンスカーレットＲ（バイエル社製）などのペリレン顔料などが挙げられる。なお、これらの材料は単独あるいは２種類以上が併用されてもよい。
【００５５】
電荷発生層３５は、電荷発生物質を必要に応じて結着樹脂とともに適当な溶剤中にボールミル、アトライター、サンドミル、超音波などを用いて分散し、これを導電性支持体上に塗布し、乾燥することにより形成される。
【００５６】
前記結着樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリスルホン、ポリ−Ｎ−ビニルカルバゾール、ポリアクリルアミド、ポリビニルベンザール、ポリエステル、フェノキシ樹脂、塩化ビニル−酢酸ビニル共重合体、ポリ酢酸ビニル、ポリフェニレンオキシド、ポリアミド、ポリビニルピリジン、セルロース系樹脂、カゼイン、ポリビニルアルコール、ポリビニルピロリドン等が挙げられる。また、前記結着樹脂の量は、電荷発生物質１００質量部に対し０質量部〜５００質量部、好ましくは１０質量部〜３００質量部が適当である。結着樹脂の添加は、分散前あるいは分散後どちらでも構わない。
【００５７】
ここで用いられる溶剤としては、イソプロパノール、アセトン、メチルエチルケトン、シクロヘキサノン、テトラヒドロフラン、ジオキサン、エチルセルソルブ、酢酸エチル、酢酸メチル、ジクロロメタン、ジクロロエタン、モノクロロベンゼン、シクロヘキサン、トルエン、キシレン、リグロイン等が挙げられる。中でも、ケトン系溶媒、エステル系溶媒、エーテル系溶媒が好ましい。また、これらは、単独で用いても２種以上混合して用いてもよい。
【００５８】
電荷発生層３５は、電荷発生物質、溶媒及び結着樹脂を主成分とするが、その中には、増感剤、分散剤、界面活性剤、シリコーンオイル等のいかなる添加剤が含まれていてもよい。
【００５９】
塗布液の塗工法としては、浸漬塗工法、スプレーコート、ビートコート、ノズルコート、スピナーコート、リングコート等の方法を用いることができる。
【００６０】
電荷発生層３５の膜厚は、０.０１μｍ〜５μｍ程度が適当であり、好ましくは、０.１μｍ〜２μｍである。
【００６１】
＜＜＜電荷輸送層＞＞＞
電荷輸送層３７は、電荷輸送物質単独もしくは結着樹脂と適当な溶剤に溶解ないし分散し、これを電荷発生層上に塗布、乾燥することにより形成できる。また、必要により単独あるいは２種以上の可塑剤、レベリング剤、酸化防止剤等を添加することもできる。
【００６２】
電荷輸送層３７は、電荷輸送物質を主成分とする層である。前記電荷輸送物質は、正孔輸送物質と電子輸送物質、及び高分子電荷輸送物質に分け、以下に説明する。
【００６３】
正孔輸送物質としては、例えば、ポリ−Ｎ−カルバゾール及びその誘導体、ポリ-γ-カルバゾリルエチルグルタメート及びその誘導体、ピレン−ホルムアルデヒド縮合物及びその誘導体、ポリビニルピレン、ポリビニルフェナントレン、オキサゾール誘導体、イミダゾール誘導体、トリフェニルアミン誘導体、及び以下の一般式（１４）乃至（３７）で示される化合物がある。
【００６４】
【化３２】
2010048876.tif 000025
・・・一般式（１４）
（一般式（１４）中、Ｒ２７はメチル基、エチル基、２−ヒドロキシエチル基、及び２−クロルエチル基のいずれかを表し、Ｒ２８はメチル基、エチル基、ベンジル基、及びフェニル基のいずれかを表し、Ｒ２９は水素原子、塩素原子、臭素原子、炭素数１〜４のアルキル基、炭素数１〜４のアルコキシ基、ジアルキルアミノ基、及びニトロ基のいずれかを表す。）
【００６５】
一般式（１４）で表される化合物としては、例えば、９−エチルカルバゾール−３−カルボアルデヒド−１−メチル−１−フェニルヒドラゾン、９−エチルカルバゾール−３−カルボアルデヒド−１−ベンジル−１−フェニルヒドラゾン、９−エチルカルバゾール−３−カルボアルデヒド−１、１−ジフェニルヒドラゾンなどが挙げられる。
【００６６】
【化３３】
2010048876.tif 000026
・・・一般式（１５）
（一般式（１５）中、Ａｒ５は、ナフタレン環、アントラセン環、ピレン環、それらの置換体、ピリジン環、フラン環、及びチオフェン環のいずれかを表し、Ｒ３０はアルキル基、フェニル基、及びベンジル基のいずれかを表す。）
【００６７】
一般式（１５）で表される化合物としては、例えば、４−ジエチルアミノスチリル−β−カルボアルデヒド−１−メチル−１−フェニルヒドラゾン、４−メトキシナフタレン−１−カルボアルデヒド−１−ベンジル−１−フェニルヒドラゾンなどが挙げられる。
【００６８】
【化３４】
2010048876.tif 000027
・・・一般式（１６）
（一般式（１６）中、Ｒ３１は、アルキル基、ベンジル基、フェニル基、及びナフチル基のいずれかを表し、Ｒ３２は、水素原子、炭素数１〜３のアルキル基、炭素数１〜３のアルコキシ基、ジアルキルアミノ基、ジアラルキルアミノ基、及びジアリールアミノ基のいずれかを表し、ｎ２は１〜４の整数を表し、ｎ２が２以上のとき、Ｒ３２は、同じでも異なっていてもよい。Ｒ３３は、水素原子及びメトキシ基のいずれかを表す。）
【００６９】
一般式（１６）で表される化合物としては、例えば、４−メトキシベンズアルデヒド−１−メチル−１−フェニルヒドラゾン、２、４−ジメトキシベンズアルデヒド−１−ベンジル−１−フェニルヒドラゾン、４−ジエチルアミノベンズアルデヒド−１、１−ジフェニルヒドラゾン、４−メトキシベンズアルデヒド−１−（４−メトキシ）フェニルヒドラゾン、４−ジフェニルアミノベンズアルデヒド−１−ベンジル−１−フェニルヒドラゾン、４−ジベンジルアミノベンズアルデヒド−１、１−ジフェニルヒドラゾンなどが挙げられる。
【００７０】
【化３５】
2010048876.tif 000028
・・・一般式（１７）
（一般式（１７）中、Ｒ３４は、炭素数１〜１１のアルキル基、置換もしくは無置換のフェニル基、及び置換もしくは無置換の複素環基のいずれかを表し、Ｒ３５及びＲ３６は、それぞれ、同一でも異なっていてもよく、水素原子、炭素数１〜４のアルキル基、ヒドロキシアルキル基、クロルアルキル基、及び置換もしくは無置換のアラルキル基のいずれかを表し、また、Ｒ３５及びＲ３６は、互いに結合し窒素を含む複素環を形成していてもよい。Ｒ３７は同一でも異なっていてもよく、水素原子、炭素数１〜４のアルキル基、アルコキシ基、及びハロゲン原子のいずれかを表す。）
【００７１】
一般式（１７）で表される化合物としては、例えば、１、１−ビス（４−ジベンジルアミノフェニル）プロパン、トリス（４−ジエチルアミノフェニル）メタン、１、１−ビス（４−ジベンジルアミノフェニル）プロパン、２，２’−ジメチル−４，４’−ビス（ジエチルアミノ）−トリフェニルメタンなどが挙げられる。
【００７２】
【化３６】
2010048876.tif 000029
・・・一般式（１８）
（一般式（１８）中、Ｒ３８は水素原子及びハロゲン原子のいずれかを表し、Ａｒ６は置換もしくは無置換のフェニル基、ナフチル基、アントリル基、及びカルバゾリル基のいずれかを表す。）
【００７３】
一般式（１８）で表される化合物としては、例えば、９−（４−ジエチルアミノスチリル）アントラセン、９−ブロム−１０−（４−ジエチルアミノスチリル）アントラセンなどが挙げられる。
【００７４】
【化３７】
2010048876.tif 000030
・・・一般式（１９）
（一般式（１９）中、Ｒ３９は水素原子、ハロゲン原子、シアノ基、炭素数１〜４のアルコキシ基、及び炭素数１〜４のアルキル基のいずれかを表し、Ａｒ７は下記一般式（２０）及び下記一般式（２１）のいずれかを表す。
【００７５】
【化３８】
2010048876.tif 000031
・・・一般式（２０）
一般式（２０）中、Ｒ４０は炭素数１〜４のアルキル基を表す。
【００７６】
【化３９】
2010048876.tif 000032
・・・一般式（２１）
一般式（２１）中、Ｒ４１は、水素原子、ハロゲン原子、炭素数１〜４のアルキル基、炭素数１〜４のアルコキシ基、及びジアルキルアミノ基のいずれかを表し、ｎ３は１または２であって、ｎ３が２のとき、Ｒ４１は同一でも異なっていてもよく、Ｒ４２及びＲ４３は、それぞれ、水素原子、炭素数１〜４の置換もしくは無置換のアルキル基、及び置換もしくは無置換のベンジル基のいずれかを表す。）
【００７７】
一般式（１９）で表される化合物としては、例えば、９−（４−ジメチルアミノベンジリデン）フルオレン、３−（９−フルオレニリデン）−９−エチルカルバゾールなどが挙げられる。
【００７８】
【化４０】
2010048876.tif 000033
・・・一般式（２２）
（一般式（２２）中、Ｒ４４は、カルバゾリル基、ピリジル基、チエニル基、インドリル基、フリル基、置換もしくは非置換のフェニル基、置換もしくは非置換のスチリル基、置換もしくは非置換のナフチル基、及び置換もしくは非置換のアントリル基のいずれかであって、これらの置換基が、ジアルキルアミノ基、アルキル基、アルコキシ基、カルボキシ基、カルボキシ基のエステル、ハロゲン原子、シアノ基、アラルキルアミノ基、Ｎ-アルキル−Ｎ−アラルキルアミノ基、アミノ基、ニトロ基、及びアセチルアミノ基からなる群から選ばれた基を表す。）
一般式（２２）で表される化合物としては、例えば、１、２−ビス（４−ジエチルアミノスチリル）ベンゼン、１、２−ビス（２、４−ジメトキシスチリル）ベンゼンなどが挙げられる。
【００７９】
【化４１】
2010048876.tif 000034
・・・一般式（２３）
（一般式（２３）中、Ｒ４５は、低級アルキル基、置換もしくは無置換のフェニル基、及びベンジル基のいずれかを表し、Ｒ４６及びＲ４７は、それぞれ、水素原子、低級アルキル基、低級アルコキシ基、ハロゲン原子、ニトロ基、アミノ基、及び、低級アルキル基またはベンジル基で置換されたアミノ基のいずれかを表し、ｎ４は１または２の整数を表す。）
一般式（２３）で表される化合物には、例えば、３−スチリル−９−エチルカルバゾール、３−（４−メトキシスチリル）−９−エチルカルバゾールなどがある。
【００８０】
【化４２】
2010048876.tif 000035
・・・一般式（２４）
（一般式（２４）中、Ｒ４８は、水素原子、アルキル基、アルコキシ基、及びハロゲン原子のいずれかを表し、Ｒ４９及びＲ５０は、それぞれ、置換もしくは無置換のアリール基を表し、Ｒ５１は水素原子、低級アルキル基、及び置換もしくは無置換のフェニル基のいずれかを表し、また、Ａｒ８は、置換もしくは無置換のフェニル基、及び置換もしくは無置換のナフチル基のいずれかを表す。）
一般式（２４）で表される化合物としては、例えば、４−ジフェニルアミノスチルベン、４−ジベンジルアミノスチルベン、４−ジトリルアミノスチルベン、１−（４−ジフェニルアミノスチリル）ナフタレン、１−（４−ジフェニルアミノスチリル）ナフタレンなどが挙げられる。
【００８１】
【化４３】
2010048876.tif 000036
・・・一般式（２５）
（一般式（２５）中、ｎ５は０または１の整数、Ｒ５２は水素原子、アルキル基、及び、置換もしくは無置換のフェニル基のいずれかを表し、Ａｒ９は置換もしくは未置換のアリール基を表し、Ｒ５３は置換アルキル基を含むアルキル基、及び置換もしくは無置換のアリール基のいずれかを表し、Ａ３は、下記一般式（２６）、下記一般式（２７）、９−アントリル基、及び、置換もしくは無置換のカルバゾリル基のいずれかを表す。また、ｎ５が０のとき、Ａ３とＲ５２は共同で環を形成してもよい。
【００８２】
【化４４】
2010048876.tif 000037
・・・一般式（２６）
【００８３】
【化４５】
2010048876.tif 000038
・・・一般式（２７）
一般式（２６）及び（２７）中、Ｒ５４は水素原子、アルキル基、アルコキシ基、ハロゲン原子、及び下記一般式（２８）のいずれかを表す。ｍは１〜３の整数を表し、ｍが２以上のとき、Ｒ５４は同一でも異なってもよい。
【００８４】
【化４６】
2010048876.tif 000039
・・・一般式（２８）
一般式（２８）中、Ｒ５５及びＲ５６は、それぞれ、置換もしくは無置換のアリール基を示し、Ｒ５５及びＲ５６は、同じでも異なっていてもよく、環を形成してもよい。）
一般式（２５）で表される化合物としては、例えば、４‘−ジフェニルアミノ−α−フェニルスチルベン、４‘−ビス（４−メチルフェニル）アミノ−α−フェニルスチルベンなどが挙げられる。
【００８５】
【化４７】
2010048876.tif 000040
・・・一般式（２９）
（式中、Ｒ５７、Ｒ５８及びＲ５９は、水素原子、低級アルキル基、低級アルコキシ基、ハロゲン原子、及びジアルキルアミノ基のいずれかを表し、ｎ６は０または１を表す。）
一般式（２９）で表される化合物としては、例えば、１−フェニル−３−（４−ジエチルアミノスチリル）−５−（４−ジエチルアミノフェニル）ピラゾリンなどが挙げられる。
【００８６】
【化４８】
2010048876.tif 000041
・・・一般式（３０）
（式中、Ｒ６０及びＲ６１は、それぞれ、置換アルキル基を含むアルキル基、及び置換もしくは未置換のアリール基のいずれかを表し、Ａ４は、置換アミノ基、置換もしくは未置換のアリール基、及び置換もしくは未置換のアリル基のいずれかを表す。）
一般式（３０）で表される化合物としては、例えば、２、５−ビス（４−ジエチルアミノフェニル）−１，３，４−オキサジアゾール、２−Ｎ、Ｎ−ジフェニルアミノ−５−（４−ジエチルアミノフェニル）−１，３，４−オキサジアゾール、２−（４−ジメチルアミノフェニル）−５−（４−ジエチルアミノフェニル）−１，３，４−オキサジアゾールなどが挙げられる。
【００８７】
【化４９】
2010048876.tif 000042
・・・一般式（３１）
（一般式（３１）中、Ｘ５は、水素原子、低級アルキル基、及びハロゲン原子のいずれかを表し、Ｒ６２は、置換アルキル基を含むアルキル基、及び置換もしくは無置換のアリール基のいずれかを表し、Ａ５は、置換アミノ基、及び置換もしくは無置換のアリール基のいずれかを表す。）
一般式（３１）で表される化合物としては、例えば、２−Ｎ、Ｎ−ジフェニルアミノ−５−（Ｎ−エチルカルバゾール−３−イル）−１，３，４−オキサジアゾール、２−（４−ジエチルアミノフェニル）−５−（Ｎ−エチルカルバゾール−３−イル）−１，３，４−オキサジアゾールなどが挙げられる。
【００８８】
【化５０】
2010048876.tif 000043
・・・一般式（３２）
（一般式（３２）中、Ｒ６３は、低級アルキル基、低級アルコキシ基、及びハロゲン原子のいずれかを表し、Ｒ６４及びＲ６５は、同じでも異なっていてもよく、それぞれ、水素原子、低級アルキル基、低級アルコキシ基、及びハロゲン原子のいずれかを表し、ｏ、ｐ、ｑは、それぞれ、０〜４の整数を表す。）
一般式（３２）で表されるベンジジン化合物としては、例えば、Ｎ，Ｎ’−ジフェニル− Ｎ，Ｎ’−ビス（３−メチルフェニル）−[１，１’−ビフェニル]−４，４’−ジアミン、３，３’−ジメチル−Ｎ，Ｎ，Ｎ’，Ｎ’−テトラキス（４−メチルフェニル）−[１，１’−ビフェニル]−４，４’−ジアミンなどが挙げられる。
【００８９】
【化５１】
2010048876.tif 000044
・・・一般式（３３）
（一般式（３３）中、Ｒ６６、Ｒ６８及びＲ６９は、それぞれ、水素原子、アミノ基、アルコキシ基、チオアルコキシ基、アリールオキシ基、メチレンジオキシ基、置換もしくは無置換のアルキル基、ハロゲン原子、及び置換もしくは無置換のアリール基のいずれかを表し、Ｒ６７は、水素原子、アルコキシ基、置換もしくは無置換のアルキル基、及びハロゲン原子のいずれかを表す。ただし、Ｒ６６、Ｒ６７、Ｒ６８およびＲ６９が、すべて水素原子である場合は除く。また、ｒ，ｓ，ｔ及びｕは、それぞれ、１、２、３または４の整数であり、それぞれが２、３または４の整数のときは、前記Ｒ６６、Ｒ６７、Ｒ６８およびＲ６９は同じでも異なっていてもよい。）
一般式（３３）で表されるビフェニリルアミン化合物としては、例えば、４’−メトキシ−Ｎ，Ｎ−ジフェニル−[１，１’−ビフェニル]−４−アミン、４’−メチル− Ｎ，Ｎ−ビス（４−メチルフェニル）−[１，１’−ビフェニル]−４−アミン、４’−メトキシ−Ｎ，Ｎ−ビス（４−メチルフェニル）−［１，１’−ビフェニル］−４−アミン、Ｎ，Ｎ−ビス（３，４−ジメチルフェニル）−［１，１‘−ビフェニル］−４−アミンなどが挙げられる。
【００９０】
【化５２】
2010048876.tif 000045
・・・一般式（３４）
（一般式（３４）中、Ａｒ１０は、置換基を有してもよい炭素数１８個以下の縮合多環式炭化水素基を表し、また、Ｒ７０及びＲ７１は、それぞれ、水素原子、ハロゲン原子、置換もしくは無置換のアルキル基、アルコキシ基、及び置換もしくは無置換のフェニル基のいずれかを表し、同じでも異なっていてもよい。ｎ７は１または２の整数を表す。）
一般式（３４）で表されるトリアリールアミン化合物としては、例えば、Ｎ，Ｎ−ジフェニル−ピレン−１−アミン、Ｎ，Ｎ−ジ−ｐ−トリル−ピレン−１−アミン、Ｎ，Ｎ−ジ−ｐ−トリル−１−ナフチルアミン、Ｎ，Ｎ−ジ（ｐ−トリル）−１−フェナントリルアミン、９，９−ジメチル−２−（ジ−ｐ−トリルアミノ）フルオレン、Ｎ，Ｎ，Ｎ‘，Ｎ’−テトラキス（４−メチルフェニル）−フェナントレン−９，１０−ジアミン、Ｎ，Ｎ，Ｎ’，Ｎ’−テトラキス（３−メチルフェニル）−ｍ−フェニレンジアミンなどが挙げられる。
【００９１】
【化５３】
2010048876.tif 000046
・・・一般式（３５）
（式中、Ａｒ１１は置換もしくは無置換の芳香族炭化水素基を表し、Ａ６は一般式（３６）を表す。
【化５４】
2010048876.tif 000047
・・・一般式（３６）
ただし、Ａｒ１２は置換もしくは無置換の芳香族炭化水素基を表し、Ｒ７２及びＲ７３は、それぞれ、置換もしくは無置換のアルキル基、及び置換もしくは無置換のアリール基のいずれかである。）
一般式（３５）で表されるジオレフィン芳香族化合物としては、例えば、１、４−ビス（４−ジフェニルアミノスチリル）ベンゼン、１、４−ビス[４−ジ（ｐ−トリル）アミノスチリル]ベンゼンなどが挙げられる。
【００９２】
【化５５】
2010048876.tif 000048
・・・一般式（３７）
（一般式（３７）中、Ａｒ１３は置換もしくは無置換の芳香族炭化水素基を表し、Ｒ７４は水素原子、置換もしくは無置換のアルキル基、及び置換もしくは無置換のアリール基のいずれかを表す。ｎ８は０または１、ｍ３は１または２であって、ｎ８＝０、ｍ３＝１の場合、Ａｒ１３とＲ７４は共同で環を形成してもよい。）
一般式（３７）で表されるスチリルピレン化合物としては、例えば、１−（４−ジフェニルアミノスチリル）ピレン、１−（Ｎ，Ｎ−ジ−p−トリル−４−アミノスチリル）ピレンなどが挙げられる。
【００９３】
【化５６】
2010048876.tif 000049
・・・一般式（７）
［一般式（７）中、Ｘ２は、単結合及びビニレン基のいずれかを表し、Ｒ１８は、水素原子、置換もしくは無置換のアルキル基、及び、置換もしくは無置換の芳香族炭化水素基のいずれかを表し、Ａｒ２は置換もしくは無置換の芳香族炭化水素基を表し、Ｒ１９は、水素原子、置換もしくは無置換のアルキル基、及び、置換もしくは無置換の芳香族炭化水素基のいずれかを表し、Ａｒ２とＲ１９は共同で環を形成してもよい。Ａｒ３は下記一般式（８）及び下記一般式（９）のいずれかを表す。また、Ｒ２０は、置換もしくは無置換のアルキル基、及び置換もしくは無置換の芳香族炭化水素基のいずれかを表す。
【化５７】
2010048876.tif 000050
・・・一般式（８）
【化５８】
2010048876.tif 000051
・・・一般式（９）
一般式（８）及び（９）中で、Ｒ２１は、水素原子、アルキル基、アルコキシ基、及びハロゲン原子のいずれかを表し、ｍは１〜３の整数を表し、ｍが２以上のとき、Ｒ２１は同一でも異なってもよい。］
一般式（７）で表される化合物としては、例えば、Ｎ，Ｎ−ビス{４−[２，２−ビス（４−メチルフェニル）エチル]フェニル}−４−メチルアニリン、Ｎ，Ｎ−ビス（４´−α−フェニルスチリル）−４−メチルアニリンなどが挙げられる。
【００９４】
なお、電子輸送物質としては、例えば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−インデノ４Ｈ−インデノ[１、２−ｂ]チオフェン−４−オン、１，３，７−トリニトロジベンゾチオフェン−５，５−ジオキサイドなどが挙げられる。
【００９５】
結着樹脂としては、ポリスチレン、スチレン−アクリロニトリル共重合体、スチレン−ブタジエン共重合体、スチレン−無水マレイン酸共重合体、ポリエステル、ポリ塩化ビニル、塩化ビニル−酢酸ビニル共重合体、ポリ酢酸ビニル、ポリ塩化ビニリデン、ポリアリレート樹脂、フェノキシ樹脂、ポリカーボネート、酢酸セルロース樹脂、エチルセルロース樹脂、ポリビニルブチラール、ポリビニルホルマール、ポリビニルトルエン、ポリ−Ｎ−ビニルカルバゾール、アクリル樹脂、シリコーン樹脂、エポキシ樹脂、メラミン樹脂、ウレタン樹脂、フェノール樹脂、アルキッド樹脂等の熱可塑性または熱硬化性樹脂が挙げられる。
【００９６】
電荷輸送物質と本発明におけるナフタレンテトラカルボン酸ジイミド誘導体は電荷輸送層内に混合含有される場合、この合計量は、結着樹脂１００質量部に対し、２０〜３００質量部、好ましくは４０〜１５０質量部が適当である。また、電荷輸送層の膜厚は解像度・応答性の点から、２５μｍ以下とすることが好ましい。下限値に関しては、使用するシステム（特に帯電電位等）に異なるが、５μｍ以上が好ましい。
【００９７】
また、本発明におけるナフタレンテトラカルボン酸ジイミド誘導体の量は、電荷輸送物質に対して０．０１ｗｔ％〜１５０ｗｔ％が好ましい。少ないと酸化性ガスに対する耐性が不足し、多すぎると、繰り返し使用による残留電位の上昇が大きくなる。
【００９８】
ここで用いられる溶剤としては、テトラヒドロフラン、ジオキサン、トルエン、ジクロロメタン、モノクロロベンゼン、ジクロロエタン、シクロヘキサノン、メチルエチルケトン、アセトンなどが挙げられる。電荷輸送物質は単独で使用しても２種以上混合して使用してもよい。
【００９９】
本発明に使用できる酸化防止剤としては、一般の酸化防止剤が使用できるが、（ｃ）ハイドロキノン系、及び（ｆ）ヒンダードアミン系の化合物が好ましい。但し、ここで用いられる酸化防止剤は、あくまでも本発明に用いられるナフタレンテトラカルボン酸ジイミド誘導体の変質保護のために利用される。
【０１００】
このため、これらの酸化防止剤は、本発明のナフタレンテトラカルボン酸ジイミド誘導体を含有させる前の工程で塗工液に含有させておくことが好ましく、添加量としては、ナフタレンテトラカルボン酸ジイミド誘導体に対して０．１〜２００ｗｔ％で十分な効果を発揮できる。
【０１０１】
電荷輸送層には電荷輸送物質としての機能とバインダー樹脂としての機能を持った高分子電荷輸送物質も良好に使用される。これらの高分子電荷輸送物質から構成される電荷輸送層は耐摩耗性に優れたものである。高分子電荷輸送物質としては、公知の材料が使用できる。
【０１０２】
以上のようにして得られた塗工液の塗工法としては、浸漬塗工法、スプレーコート、ビートコート、ノズルコート、スピナーコート、リングコート等、従来の塗工方法を用いることができる。
【０１０３】
次に、感光層が単層構成３３の場合について述べる。上述した電荷発生物質を結着樹脂中に分散した感光体が使用できる。感光層は、電荷発生物質、電荷輸送物質、及び結着樹脂を適当な溶剤に溶解ないし分散し、これを塗布、乾燥することによって形成できる。
また、必要により可塑剤やレベリング剤、酸化防止剤等を添加することもできる。
【０１０４】
結着樹脂としては、先に電荷輸送層３７で挙げた結着樹脂のほかに、電荷発生層３５で挙げた結着樹脂を混合して用いてもよい。もちろん、先に挙げた高分子電荷輸送物質も良好に使用できる。結着樹脂１００質量部に対する電荷発生物質の量は５〜４０質量部が好ましく、電荷輸送物質の量は０〜１９０質量部が好ましく、さらに好ましくは５０〜１５０質量部である。感光層は、電荷発生物質、結着樹脂を電荷輸送物質とともにテトラヒドロフラン、ジオキサン、ジクロロエタン、シクロヘキサン等の溶媒を用いて分散機等で分散した塗工液を、浸漬塗工法やスプレーコート、ビードコート、リングコートなどで塗工して形成できる。感光層の膜厚は、５〜２５μｍ程度が適当である。
【０１０５】
本発明における感光体においては、導電性支持体３１と感光層との間に下引き層を設けることができる。下引き層は一般には樹脂を主成分とするが、これらの樹脂はその上に感光層を溶剤で塗布することを考えると、一般の有機溶剤に対して耐溶剤性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、フェノール樹脂、アルキッド−メラミン樹脂、エポキシ樹脂等、三次元網目構造を形成する硬化型樹脂等が挙げられる。また、下引き層にはモアレ防止、残留電位の低減等のために酸化チタン、シリカ、アルミナ、酸化ジルコニウム、酸化スズ、酸化インジウム等で例示できる金属酸化物の微粉末顔料を加えてもよい。
【０１０６】
これらの下引き層は、前述の感光層の如く適当な溶媒及び塗工法を用いて形成することができる。更に本発明の下引き層として、シランカップリング剤、チタンカップリング剤、クロムカップリング剤等を使用することもできる。この他、本発明の下引き層には、Ａｌ２Ｏ３を陽極酸化にて設けたものや、ポリパラキシリレン（パリレン）等の有機物やＳｉＯ２、ＳｎＯ２、ＴｉＯ２、ＩＴＯ、ＣｅＯ２等の無機物を真空薄膜作成法にて設けたものも良好に使用できる。このほかにも公知のものを用いることができる。下引き層の膜厚は、０〜５μｍが適当である。
【０１０７】
本発明の感光体においては、感光層保護の目的で、保護層３９が感光層の上に設けられることがある。保護層３９に使用される材料としては、ＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。フィラーの分散性、残留電位、塗膜欠陥の点から、特に、ポリカーボネートあるいはポリアリレートが有効かつ有用である。
【０１０８】
また、感光体の保護層には、耐摩耗性を向上する目的でフィラー材料を添加される。用いられる溶剤としては、テトラヒドロフラン、ジオキサン、トルエン、ジクロロメタン、モノクロロベンゼン、ジクロロエタン、シクロヘキサノン、メチルエチルケトン、アセトンなど、電荷輸送層３７で使用されるすべての溶剤を使用することができる。但し、分散時には粘度が高い溶剤が好ましいが、塗工時には揮発性が高い溶剤が好ましい。これらの条件を満たす溶剤がない場合には、各々の物性を有する溶剤を２種以上混合させて使用することが可能であり、フィラーの分散性や残留電位に対して大きな効果を有する場合がある。
【０１０９】
また、保護層にアミン化合物が含まれていてもよい。さらに電荷輸送層３７で挙げた低分子電荷輸送物質あるいは高分子電荷輸送物質を添加することは、残留電位の低減及び画質向上に対して有効かつ有用である。
【０１１０】
保護層の形成法としては、浸漬塗工法、スプレーコート、ビートコート、ノズルコート、スピナーコート、リングコート等の従来方法を用いることができるが、特に、塗膜の均一性の面からスプレーコートがより好ましい。
【０１１１】
本発明の感光体においては、感光層と保護層との間に中間層を設けることも可能である。中間層には、一般にバインダー樹脂を主成分として用いる。これら樹脂としては、ポリアミド、アルコール可溶性ナイロン、水溶性ポリビニルブチラール、ポリビニルブチラール、ポリビニルアルコールなどが挙げられる。中間層の形成法としては、前述のごとく一般に用いられる塗布法が採用される。なお、中間層の厚さは０．０５〜２μｍ程度が適当である。
【０１１２】
本発明においては、耐環境性の改善のため、とりわけ、感度低下、残留電位の上昇を防止する目的で、電荷発生層、電荷輸送層、下引き層、保護層、中間層等の各層に公知の酸化防止剤、可塑剤、滑剤、紫外線吸収剤およびレベリング剤を添加することができる。
【０１１３】
＜帯電手段＞
前記帯電手段としては、前記感光体の表面を一様に帯電するものであれば、特に制限はなく、目的に応じて適宜選択することができる。
【０１１４】
＜像露光手段＞
前記像露光手段としては、前記一様に帯電された感光体の表面に像露光を行い静電潜像を形成するものであれば、特に制限はなく、目的に応じて適宜選択することができる。
【０１１５】
＜転写手段＞
前記転写手段としては、現像像を転写するものであれば、特に制限はなく、目的に応じて適宜選択することができる。
【０１１６】
＜クリーニング手段＞
前記クリーニング手段としては、前記感光体の転写残トナーをクリーニングするものであって、先端がループ状に形成され、前記感光体に接触しながら回転するブラシを有し、前記ブラシのループ先端側が根元部よりブラシ回転方向上流側に向けられているものであれば、特に制限はなく、目的に応じて適宜選択することができる。
【０１１７】
図８は、本発明におけるクリーニング手段のブラシ毛先の形状を表す拡大図であり、図９は、本発明におけるクリーニング手段の回転ブラシの断面図であり、図中の矢印は回転方向を表す。
図８及び図９において、ブラシは、先端がループ状に形成されており、ループ先端側が根元部よりブラシ回転方向上流側に向けられている。
【０１１８】
ブラシ（例えば、図１におけるクリーニングブラシ１４）の材質は、特に限定されるものではなく、一般のものが使用でき、ブラシ材質としては、例えば、ナイロン、ポリエステル、レーヨン、ポリカーボネート、メタクリル樹脂、アクリル樹脂などが挙げられ、これらの樹脂は単独、あるいは二種以上の混合物として用いることができる。また、ブラシ繊維は、導電化処理されていてもよい。前記導電化処理としては、通常の繊維表面に、めっき、真空蒸着、スパッタリングなどの方法で金属を被覆する方法、繊維表面にカーボン、金属などの導電性微粒子分散重合体を分散させた有機層を形成する方法、導電性微粒子分散重合体をブレンド、あるいは多芯複合紡糸する方法などが挙げられる。ブラシ繊維の太さとしては、５〜３０（デニール/フィラメント）のものが一般に使用される。ブラシ密度としては、ループ状に形成したブラシのループ密度が１ｃｍ２当たり５０〜１００ループであることが、クリーニング性及び耐久性の面から好ましい。ブラシのループ長さとしては、２〜１０ｍｍが適当である。クリーニングブラシ（例えば、図１におけるクリーニングブラシ１４）の例としては、図１０に示すように、ループ状のブラシを基布に織り込んで作ったループパイルブラシを金属製の芯金に巻き付けて接着して形成している。
【０１１９】
また、前記ブラシの感光体回転方向下流側に感光体に接するように設けられる弾性体ゴムブレード（例えば、図１におけるクリーニングブレード１５）の材質に関しては、一般に用いられているシリコーンゴム、ウレタンゴムなどの弾性体を広く用いることができる。ブレード厚みは、特に限定されるものではないが、１ｍｍから７ｍｍ程度が好ましい。また、感光体との当接圧は、先に述べたような理由から１０〜３０ｇの範囲が好ましい。また、前記弾性体ゴムブレードの感光体への当接方向は、感光体の回転方向に対しカウンター方向（対抗方向）であることが好ましい。
【実施例】
【０１２０】
以下、本発明を実施例によって更に具体的に説明するが、本発明はこれに限定されるものではない。なお、部はすべて質量部を示す。
【０１２１】
（ナフタレンテトラカルボン酸ジイミド誘導体合成例）
＜製造例１（例示化合物Ｎｏ．２０の製造）＞
ナフタレン−１，４，５，８−テトラカルボン酸二無水物（東京化成試薬）２．６８ｇ（１０．０ｍｍｏｌ）、Ｎ，Ｎ’−ジメチルホルムアミド３０ｍＬに１，１−ジフェニルヒドラジン（東京化成試薬）３．６８ｇ（２０．０ｍｍｏｌ）を加え、アルゴン気流下、６０℃で２時間撹拌した。水１００ｍＬを加え、析出した結晶を濾過により採取し、減圧加熱乾燥器により乾燥して、褐色の粗結晶３．４３ｇ（収率５７．１％）を得た。これをシリカゲルカラム処理〔溶離液：トルエン／酢酸エチル（２０／１）ｖｏｌ混合溶媒〕し、トルエンにて再結晶、減圧加熱乾燥器により乾燥して、オレンジ赤色結晶の下記構造式の例示化合物Ｎｏ．２０を７．０２ｇ（収率２９．７％）を得た。またその元素分析値は下記の通りであった。分解点として示差熱熱量同時測定装置ＴＧ／ＤＴＡ６２００（セイコーインスツルメンツ（株）製）にて窒素気流下、室温から毎分１０℃で昇温させたときの、ＴＧ減量を伴うＤＴＡの発熱ピーク点温度を測定したところ３４１℃であった。
【０１２２】
実測値（Ｃ：７６．０５、Ｈ：４．０２、Ｎ：９．２０）
計算値（Ｃ：７５．９９、Ｈ：４．０３、Ｎ：９．３３）
【０１２３】
＜製造例２〜４（例示化合物Ｎｏ．１、１０、１５の製造）＞
製造例１において、１，１−ジフェニルヒドラジンを、それぞれ、１，１−ジメチルヒドラジン、１，１−ジベンジルヒドラジン、１−メチル−１−フェニルヒドラジンに変更した以外は、製造例１と同様にして、例示化合物Ｎｏ．１、１０、１５のナフタレンテトラカルボン酸ジイミド誘導体を製造した。結果を下記表６に示す。
【０１２４】
【表６】
2010048876.tif 000052
【０１２５】
次に、実施例１の電荷発生物質として用いるオキソチタニウムフタロシアニンを以下のようにして作製した。
【０１２６】
＜オキソチタニウムフタロシアニンの製造＞
特開２００１−０１９８７１号公報記載の合成例４と同様に、１，３−ジイミノイソインドリン２９．２ｇとスルホラン２００ｍＬを混合し、窒素気流下でチタニウムテトラブトキシド２０．４ｇを滴下する。滴下終了後、徐々に１８０℃まで昇温して、反応温度を１７０℃〜１８０℃の間に保ちながら５時間撹拌して反応を行った。反応終了後、放冷した後析出物を濾過し、クロロホルムで粉体が青色になるまで洗浄し、次に、メタノールで数回洗浄し、さらに８０℃の熱水で数回洗浄した後乾燥し、粗チタニルフタロシアニンを得た。粗チタニルフタロシアニンを２０倍量の濃硫酸に溶解し、１００倍量の氷水に撹拌しながら滴下し、析出した結晶を濾過、ついで洗浄液が中性になるまで水洗を繰り返し、チタニルフタロシアニン顔料のウェットケーキを得た。このケーキの乾燥品のＸ線回析スペクトルは図１１に示される。得られたウェットケーキ２ｇを二硫化炭素２０ｇに投入し、４時間撹拌を行った。これにメタノール１００ｇを追加して、１時間撹拌を行った後、濾過を行い、乾燥して、オキソチタニウムフタロシアニン結晶粉末を得た。得られたチタニルフタロシアニン粉末を、下記条件によりＸ線回折スペクトル測定し、公報に記載の、Ｃｕ−Ｋα線（波長１．５４２Å）に対するブラッグ角２θの回折ピーク（±０．２゜）として、少なくとも２７．２°に最大回折ピークを有し、更に９．４゜、９．６゜、２４．０゜に主要なピークを有し、かつ最も低角側の回折ピークとして７．３゜にピークを有し、７．３゜のピークと９．４゜のピークの間にピークを有さないチタニルフタロシアニンであることを確認した（図１１）。
【０１２７】
（Ｘ線回折スペクトル測定条件）
Ｘ線管球：Ｃｕ
電圧：５０ｋＶ
電流：３０ｍＡ
走査速度：２°／分
走査範囲：３°〜４０°
時定数：２秒
【０１２８】
（実施例１〜４）
＜実施例１用感光体の作製＞
次いで、直径１００ｍｍ、長さ３６０ｍｍのアルミニウムドラム上に、下記組成の感光層用塗工液を、塗布、乾燥することにより、３２μｍの単層感光層を形成し実施例１用感光体を作製した。
【０１２９】
［感光層用塗工液］
前記方法で作製したオキソチタニウムフタロシアニン：                        １部
下記構造式（１）で表わされる電荷輸送物質Ａ：                            ２８部
【０１３０】
【化５９】
2010048876.tif 000053
・・・構造式（１）
ナフタレンテトラカルボン酸ジイミド誘導体Ｎｏ．２０（例示化合物Ｎｏ．２０）：                    ２０部
ポリカーボネート樹脂（パンライトＴＳ−２０５０、帝人化成製）：          ５０部
テトラヒドロフラン：（三菱化学株式会社製）：        ４００部
シリコーンオイル（ＫＦ５０−１００ＣＳ、信越化学工業製）：          ０．０８部
【０１３１】
＜実施例２用感光体の作製＞
実施例１用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１（例示化合物Ｎｏ．１）に変更した以外は、実施例１用感光体と同様にして、実施例２用感光体を作製した。
【０１３２】
＜実施例３用感光体の作製＞
実施例１用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１０（例示化合物Ｎｏ．１０）に変更した以外は、実施例１用感光体と同様にして、実施例３用感光体を作製した。
【０１３３】
＜実施例４用感光体の作製＞
実施例１用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１５（例示化合物Ｎｏ．１５）に変更した以外は、実施例１用感光体と同様にして、実施例４用感光体を作製した。
【０１３４】
以上のように作製した実施例１〜４用感光体を、それぞれ実装した後、デジタル複合機イマジオＭＦ７０７０［（株）リコ−製］をベースとしてドラム線速、クリーニング部、及びパワーパックを以下のように改造した画像形成装置を用いて評価を行った。
クリーニング部のブラシは、図８で示したように、先端がループ状をしており、ブラシ全体の形状は図１０で示したようなループ状のブラシを基布に織り込んで作ったループパイルブラシを金属製の芯金に巻き付けて接着して形成したものを用いた。断面は、図９に示すように、ループ先端側が根元部よりブラシ回転方向上流側に向けられるように設置した。基布に織り込んだループ密度は１ｃｍ２当たり７５本とした。
また、クリーニングブラシの回転方向は感光体と接触位置において同方向として、感光体線速を４００ｍｍ／ｓｅｃに設定し、ファーブラシ線速を４４４ｍｍ／ｓｅｃ（感光体に対して１．１１倍）に設定した。また、弾性体ゴムブレードから成るクリーニングブレードを、前記ブラシの回転方向に下流側に感光体に接するように設け、感光体への当接方法は感光体の回転方向に対してカウンター方向とし、クリーニングブレードの感光体への当接圧は２５ｇ／ｃｍと設定した。
また、パワーパックの極性を変更し、感光体表面を正帯電とするように帯電極性を変更した。これに合わせて、用いるトナーも正帯電のものに変更した。
上述した画像形成装置を用いて、実施例１〜４用感光体について、それぞれ、通紙コピー試験を実施し、１万枚後と１５万枚後に、以下の項目について評価を行い、それぞれ、実施例１〜４とした。
【０１３５】
＜画像品質＞
出力画像について、ベタ濃度、黒ポチ、白ポチ、黒スジ、白スジなどの局所欠陥、地肌汚れ等の異常画像等を総合的に評価して“良好“、”僅かに低下“、”不良“の三段階に分類した。
【０１３６】
＜機内電位（露光部電位）＞
帯電電位＋８００Ｖとしたときに、露光部において全面書込を行った場合の感光体表面電位について評価し、露光部電位とした。
【０１３７】
＜感光体クリーニング不良＞
通紙試験後の感光体表面上における転写残トナーの有無を評価した。
クリーニングが十分行われ転写残トナーが見られない場合を○、クリーニング不良が発生し転写残トナーが見られた場合を×とした。
【０１３８】
＜感光体表面傷＞
通紙試験後の感光体表面の傷発生についてレーザー顕微鏡（株式会社キーエンス製、ＶＫ−８５００）にて観察して、“目立った傷が無い場合を○”、“顕微鏡観察では傷がみられるものの画像に現れない場合を△”、“画像に現れるようなるような大きく深い傷がある場合を×”とした。
これらの評価結果を以下の表７に示す。
【０１３９】
【表７】
2010048876.tif 000054
【０１４０】
（実施例５〜８）
＜実施例５用感光体の作製＞
実施例１用感光体において、前記構造式（１）で表される電荷輸送物質Ａを、下記構造式（２）で表される電荷輸送物質Ｂに変更した以外は、実施例１用感光体と同様にして、実施例５用感光体を作製した。
【０１４１】
【化６０】
2010048876.tif 000055
・・・構造式（２）
【０１４２】
＜実施例６用感光体の作製＞
実施例１用感光体において、前記構造式（１）で表される電荷輸送物質Ａを、下記構造式（３）で表される電荷輸送物質Ｃに変更した以外は、実施例１用感光体と同様にして、実施例６用感光体を作製した。
【０１４３】
【化６１】
2010048876.tif 000056
・・・構造式（３）
【０１４４】
＜実施例７用感光体の作製＞
実施例１用感光体において、前記構造式（１）で表される電荷輸送物質Ａを、下記構造式（４）で表される電荷輸送物質Ｄに変更した以外は、実施例１用感光体と同様にして、実施例７用感光体を作製した。
【０１４５】
【化６２】
2010048876.tif 000057
・・・構造式（４）
【０１４６】
＜実施例８用感光体の作製＞
実施例１用感光体において、前記構造式（１）で表される電荷輸送物質Ａを、下記構造式（５）で表される電荷輸送物質Ｅに変更した以外は、実施例１用感光体と同様にして、実施例８用感光体を作製した。
【化６３】
2010048876.tif 000058
・・・構造式（５）
【０１４７】
以上のように作製した実施例５〜８用感光体を、それぞれ実装した後、実施例１と同様にして評価してそれぞれ実施例５〜８とした。結果を表８に示す。
【０１４８】
【表８】
2010048876.tif 000059
【０１４９】
（実施例９〜１２）
＜実施例９用感光体の作製＞
直径１００ｍｍ、長さ３６０ｍｍのアルミニウムドラム上に、下記に示す組成の下引き層塗工液、電荷発生層塗工液、及び電荷輸送層塗工液を、浸漬塗工法によって順次塗布、乾燥し、４．１μｍの下引き層、０．２μｍの電荷発生層、２６μｍの電荷輸送層を形成し実施例９用感光体を作製した。
【０１５０】
＜＜下引き層塗工液＞＞
二酸化チタン粉末（石原産業製、タイベークＣＲ−ＥＬ）：３９０部
メラミン樹脂（大日本インキ製、スーパーベッカミンＧ８２１−６０）：６３部
アルキッド樹脂（大日本インキ製、ベッコライトＭ６４０１−５０）：１２６部
２−ブタノン（関東化学株式会社製）：４１０部
【０１５１】
＜＜電荷発生層塗工液＞＞
Ｘ型無金属フタロシアニン（ＦａｓｔｏｇｅｎＢｌｕｅ８１２０Ｂ：大日本インキ化学工業製）：１０部
ポリビニルブチラール（ユニオンカーバイド製、ＸＹＨＬ）：５部
２−ブタノン（関東化学株式会社製）：２００部
シクロヘキサノン（関東化学株式会社製）：４００部
【０１５２】
＜＜電荷輸送層塗工液＞＞
ポリカーボネート樹脂（パンライトＴＳ−２０５０：帝人化成製）：１２部
例示化合物Ｎｏ．２０のナフタレンテトラカルボン酸ジイミド誘導体：１２部
テトラヒドロフラン（三菱化学株式会社製）：１００部
シリコーンオイル（信越化学工業製、ＫＦ５０−１００ＣＳ）：０．０２部
【０１５３】
＜実施例１０用感光体の作製＞
実施例９用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１（例示化合物Ｎｏ．１）に変更した以外は、実施例９用感光体と同様にして、実施例１０用感光体を作製した。
【０１５４】
＜実施例１１用感光体の作製＞
実施例９用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１０（例示化合物Ｎｏ．１０）に変更した以外は、実施例９用感光体と同様にして、実施例１１用感光体を作製した。
【０１５５】
＜実施例１２用感光体の作製＞
実施例９用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１５（例示化合物Ｎｏ．１５）に変更した以外は、実施例９用感光体と同様にして、実施例１２用感光体を作製した。
【０１５６】
以上のように作製した実施例９〜１２用感光体を、それぞれ実装した後、実施例１と同様にして評価してそれぞれ実施例９〜１２とした。結果を表９に示す。
【０１５７】
【表９】
2010048876.tif 000060
【０１５８】
（実施例１３）
実施例１において、クリーニングのブラシの回転方向を感光体と接触位置において同方向として、感光体線速を４００ｍｍ／ｓｅｃに設定し、ブラシ線速を４４４ｍｍ／ｓｅｃに設定したことに代えて、クリーニング部のブラシの回転方向を感光体と接触位置において逆方向として、感光体線速４００ｍｍ／ｓｅｃに設定し、ブラシ線速を４００ｍｍ／ｓｅｃ（相対線速で８００ｍｍ／ｓｅｃ）に設定したこと以外は、実施例１と同様にして、評価を行い、実施例１３とした。
【０１５９】
（実施例１４）
実施例１において、クリーニング部のクリーニングブレードの感光体への当接方法を感光体の回転方向に対してカウンター方向としたことに代えて、感光体回転方向（トレイル方向）とした以外は、実施例１と同様にして、評価を行い、実施例１４とした。
【０１６０】
（実施例１５）
実施例１において、クリーニング部のクリーニングブレードの感光体への当接圧を２５ｇ／ｃｍに変えて、１０ｇ／ｃｍとした以外は、実施例１と同様にして、評価を行い、実施例１５とした。
実施例１３〜１５の結果を表１０に示す。
【０１６１】
【表１０】
2010048876.tif 000061
【０１６２】
（実施例１６〜１９）
＜実施例１６用感光体の作製＞
直径３０ｍｍ、長さ３４０ｍｍのアルミニウムドラム上に、前記実施例１用感光体作製時に用いた組成の感光層用塗工液を、塗布、乾燥することにより、３０．５μｍの単層感光層を形成し、実施例１６用感光体を作製した。
【０１６３】
＜実施例１７用感光体の作製＞
実施例１６用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１（例示化合物Ｎｏ．１）に変更した以外は、実施例１６用感光体と同様にして、実施例１７用感光体を作製した。
【０１６４】
＜実施例１８用感光体の作製＞
実施例１６用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１０（例示化合物Ｎｏ．１０）に変更した以外は、実施例１６用感光体と同様にして、実施例１８用感光体を作製した。
【０１６５】
＜実施例１９用感光体の作製＞
実施例１６用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１５（例示化合物Ｎｏ．１５）に変更した以外は、実施例１６用感光体と同様にして、実施例１９用感光体を作製した。
【０１６６】
以上のようにして作製した実施例１６〜１９用感光体を、それぞれ実装した後、各画像形成装置がカートリッジ形状であるデジタルフルカラープリンタであるＩＰＳｉＯ  ＣＸ８２００［（株）リコ−製］をベースとしてクリーニング部、及びパワーパックを以下のように改造した画像形成装置を用いて評価を行った。
クリーニング部のブラシは、図８で示したように、先端がループ状をしており、ブラシ全体の形状は図１０で示したようなループ状のブラシを基布に織り込んで作ったループパイルブラシを金属製の芯金に巻き付けて接着して形成したものを用いた。断面は、図９に示すように、ループ先端側が根元部よりブラシ回転方向上流側に向けられるように設置した。基布に織り込んだループ密度は１ｃｍ２当たり７５本とした。
また、クリーニングブラシの回転方向は感光体と接触位置において同方向として、感光体線速を１２５ｍｍ／ｓｅｃに設定し、ファーブラシ線速を１５０ｍｍ／ｓｅｃ（感光体に対して１．２倍）に設定した。また、弾性体ゴムブレードから成るクリーニングブレードを、前記ブラシの回転方向に下流側に感光体に接するように設け、感光体への当接方法は感光体の回転方向に対してカウンター方向とし、クリーニングブレードの感光体への当接圧は２５ｇ／ｃｍと設定した。
また、パワーパックの極性を変更し、感光体表面を正帯電するように帯電極性を変更した。これに合わせて、用いるトナーも正帯電のものに変更した。
上述した画像形成装置を用いて、実施例１６〜１９用感光体について、それぞれ、通紙コピー試験を実施し、１万枚後と１５万枚後に、実施例１と同様の評価項目について評価を行い、それぞれ、実施例１６〜１９とした。結果を表１１に示す。
【表１１】
2010048876.tif 000062
【０１６７】
（実施例２０〜２３）
＜実施例２０用感光体の作製＞
直径３０ｍｍ、長さ２５６ｍｍのアルミニウムドラム上に、前記実施例１用感光体作製時に用いた組成の感光層用塗工液を、塗布、乾燥することにより、２９．５μｍの単層感光層を形成し実施例２０用感光体を作製した。
【０１６８】
＜実施例２１用感光体の作製＞
実施例２０用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１（例示化合物Ｎｏ．１）に変更した以外は、実施例２０用感光体と同様にして、実施例２１用感光体を作製した。
【０１６９】
＜実施例２２用感光体の作製＞
実施例２０用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１０（例示化合物Ｎｏ．１０）に変更した以外は、実施例２０用感光体と同様にして、実施例２２用感光体を作製した。
【０１７０】
＜実施例２３用感光体の作製＞
実施例２０用感光体において、ナフタレンテトラカルボン酸ジイミド誘導体Ｎｏ．２０（例示化合物Ｎｏ．２０）をナフタレンテトラカルボン酸ジイミド誘導体Ｎｏ．１５（例示化合物Ｎｏ．１５）に変更した以外は、実施例２０用感光体と同様にして、実施例２３用感光体を作製した。
【０１７１】
以上のように作製した実施例２０〜２３用感光体を、それぞれ実装した後、中間転写ベルトによる一括転写方式を採用するデジタルフルカラープリンタであるＩＰＳｉＯ  ＣＸ４００［（株）リコ−製］（中間転写ベルトによる二次転写方式を採用）をベースとしてクリーニング部、及びパワーパックを以下のように改造した画像形成装置を用いて評価を行った。
クリーニング部のブラシは、図８で示したように、先端がループ状をしており、ブラシ全体の形状は図１０で示したようなループ状のブラシを基布に織り込んで作ったループパイルブラシを金属製の芯金に巻き付けて接着して形成したものを用いた。断面は、図９に示すように、ループ先端側が根元部よりブラシ回転方向上流側に向けられるように設置した。基布に織り込んだループ密度は１ｃｍ２当たり７５本とした。
また、クリーニングブラシの回転方向は感光体と接触位置において同方向として、感光体線速を１５５ｍｍ／ｓｅｃに設定し、ファーブラシ線速を１７２ｍｍ／ｓｅｃ（感光体に対して１．１１倍）に設定した。また、弾性体ゴムブレードから成るクリーニングブレードを、前記ブラシの回転方向に下流側に感光体に接するように設け、感光体への当接方法は感光体の回転方向に対してカウンター方向とし、クリーニングブレードの感光体への当接圧は２５ｇ／ｃｍと設定した。
また、パワーパックの極性を変更し、感光体表面を正帯電するように帯電極性を変更した。これに合わせて、用いるトナーも正帯電のものに変更した。
上述した画像形成装置を用いて、実施例２０〜２３用感光体について、それぞれ、通紙コピー試験を実施し、１万枚後と１５万枚後に、以下の項目について評価を行い、それぞれ実施例２０〜２３とした。結果を表１２に示す。
【０１７２】
【表１２】
2010048876.tif 000063
【０１７３】
（比較例１〜３）
＜比較例１用感光体の作製＞
実施例１用感光体において、ナフタレンテトラカルボン酸ジイミド誘導体Ｎｏ．２０（例示化合物Ｎｏ．２０）を下記構造式（６）で表される電荷輸送物質に代えた以外は、実施例１用感光体と同様にして、比較例１用感光体を作製した。
【０１７４】
【化６４】
2010048876.tif 000064
・・・構造式（６）
【０１７５】
＜比較例２用感光体の作製＞
実施例１用感光体において、ナフタレンテトラカルボン酸ジイミド誘導体Ｎｏ．２０（例示化合物Ｎｏ．２０）を下記構造式（７）で表される電荷輸送物質に代えた以外は、実施例１用感光体と同様にして、比較例２用感光体を作製した。
【０１７６】
【化６５】
2010048876.tif 000065
・・・構造式（７）
【０１７７】
＜比較例３用感光体の作製＞
実施例１用感光体において、ナフタレンテトラカルボン酸ジイミド誘導体Ｎｏ．２０（例示化合物Ｎｏ．２０）を下記構造式（８）で表される電荷輸送物質に代えた以外は、実施例１用感光体と同様にして、比較例３用感光体を作製した。
【０１７８】
【化６６】
2010048876.tif 000066
・・・構造式（８）
【０１７９】
このようにして作製した比較例１〜３用感光体を用いて、実施例１と同様の評価を行い、比較例１〜３とした。結果を表１３に示す。
【０１８０】
【表１３】
2010048876.tif 000067
【０１８１】
（比較例４）
実施例１において、クリーニング部にブラシを設置しなかった以外は、実施例１と同様にして、評価を行い、比較例４とした。
【０１８２】
（比較例５）
実施例１において、クリーニング部のブラシのループ先端側が根元部よりブラシ回転方向下流側に向けられるような形状に作製して設置した以外は、実施例１と同様にして、評価を行い、比較例５とした。
【０１８３】
（比較例６）
実施例１において、クリーニング部のブラシ先端がループ形状をもたず、ブラシ基体から均一の長さを有する直毛状のブラシ先端を有するブラシを用いた以外は、実施例１と同様にして、評価を行い、比較例６とした。
【０１８４】
（比較例７）
実施例１において、クリーニング部のブラシ先端がループ形状をもたず、ブラシ基体から不特定の長さを有する直毛状のブラシ先端を有するブラシを用いた以外は、実施例１と同様にして、評価を行い、比較例７とした。
これらの比較例４〜７の結果を表１４に示す。
【０１８５】
【表１４】
2010048876.tif 000068
【０１８６】
以上の結果より、実施例１〜２３の画像形成装置では、いずれも高画質で且つ高耐久な結果となるが、比較例１〜７の画像形成装置では、繰返し使用時において画像品質が不良となり十分な耐久性が得られないことがわかる。
【産業上の利用可能性】
【０１８７】
本発明の画像形成装置は、複写機、ファクシミリ、レーザープリンター、ダイレクトデジタル製版機などとして好適に用いられる。
【図面の簡単な説明】
【０１８８】
【図１】図１は、本発明の画像形成装置の一例を説明するための模式図である。
【図２】図２は、本発明における電子写真感光体の断面図の一例である（その１）。
【図３】図３は、本発明における電子写真感光体の断面図の一例である（その２）。
【図４】図４は、本発明における電子写真感光体の断面図の一例である（その３）。
【図５】図５は、本発明における電子写真感光体の断面図の一例である（その４）。
【図６】図６は、本発明における電子写真感光体の断面図の一例である（その５）。
【図７】図７は、本発明における電子写真感光体の断面図の一例である（その６）。
【図８】図８は、本発明におけるクリーニング手段のブラシ毛先の形状を表す拡大図である。
【図９】図９は、本発明におけるクリーニング手段の回転ブラシの断面図である。
【図１０】図１０は、本発明におけるクリーニング手段としてのクリーニングブラシの一例を示す模式図である。
【図１１】図１１は、オキソチタニウムフタロシアニンの粉末ＸＤスペクトルを示す図である。
【符号の説明】
【０１８９】
１      感光体
２      除電ランプ
３      帯電チャージャ
４      イレーサ
５      画像露光部
６      現像ユニット
７      転写前チャージャ
８      レジストローラ
９      転写紙
１０    転写チャージャ
１１    分離チャージャ
１２    分離爪
１３    クリーニング前チャージャ
１４    クリーニングブラシ
１５    クリーニングブレード
３１    導電性支持体
３３    感光層
３５    電荷発生層
３７    電荷輸送層
３９    保護層
【図１】
2010048876.tif 000082
【図２】
2010048876.tif 000083
【図３】
2010048876.tif 000084
【図４】
2010048876.tif 000085
【図５】
2010048876.tif 000086
【図６】
2010048876.tif 000087
【図７】
2010048876.tif 000088
【図８】
2010048876.tif 000089
【図９】
2010048876.tif 000090
【図１０】
2010048876.tif 000091
【図１１】
2010048876.tif 000092